(57)【特許請求の範囲】
【請求項１】
薄板状の屋根部材を支持するための架台を長手方向に複数本接続してなる架台の排水構造であって、架台と突起部材と樋部材とからなり、前記架台は長手方向に排水部を備える長尺な土台部と該土台部の底板部の幅方向の中央に該底板部の全長に亘って立設されたフレーム支持部とを有し、該フレーム支持部はその起立部の左右において全長に亘って上方部に前記屋根部材を支持するための係止部を有するとともに下方部に前記起立部とによって排水部を形成するフランジ部を有し、前記突起部材は棒状の部材であって上方へ突出する突起部及び下方へ開口する溝部を有し、前記樋部材は長手方向に雨水が流れる樋状の流水部を有し、水上側と水下側の前記架台の前記起立部に設けられた前記フランジ部の継ぎ目において、前記両架台の前記フランジ部の下面側から前記継ぎ目を覆うように前記樋部材が前記起立部に装着され、前記架台の長手方向の両端部において前記起立部の前記係止部が設けられた位置と前記樋部材が装着された位置の間にカット部が形成され、水上側と水下側の前記架台のそれぞれの前記カット部に前記突起部材の長手方向の両端部における前記突起部が挿入されるとともに前記溝部が前記カット部の下端縁に嵌合された状態で前記架台が長手方向に接続されていることを特徴とする架台の排水構造。
【請求項２】
前記架台において、前記起立部の下方部に設けられた前記フランジ部が前記起立部の上下方向に複数段設けられ、水上側と水下側の前記架台の前記起立部の上下方向に設けられた複数段の前記フランジ部の全ての前記継ぎ目において、前記両架台の前記フランジ部の前記下面側から前記継ぎ目を覆うように前記樋部材が前記起立部に装着され、前記カット部が前記架台の長手方向の両端部において前記起立部の前記係止部が設けられた位置と最上段の前記樋部材が装着された位置の間に形成されていることを特徴とする請求項１に記載の架台の排水構造。
【請求項３】
前記架台において、前記起立部の下方部に設けられた前記フランジ部が前記起立部の上下方向に複数段設けられ、長手方向に雨水が流れる樋状の流水部が設けられた樋部を上下方向に前記フランジ部と同じ段数だけ有するとともに前記起立部の最上段の前記フランジ部が設けられた位置のすぐ下方に装着された連結樋部材によって、水上側と水下側の前記架台の前記起立部の上下方向に設けられた複数段の前記フランジ部の全ての前記継ぎ目が前記両架台の前記フランジ部の前記下面側から覆われ、前記カット部が前記架台の長手方向の両端部において前記起立部の前記係止部が設けられた位置と前記連結樋部材が装着された位置との間に形成されていることを特徴とする請求項１に記載の架台の排水構造。
【請求項４】
薄板状の屋根部材を支持するための架台を長手方向に複数本接続してなる架台の排水構造であって、架台とジョイント樋とからなり、前記架台は長手方向に排水部を備える長尺な土台部と該土台部の底板部の幅方向の中央に該底板部の全長に亘って立設されたフレーム支持部とを有し、該フレーム支持部はその起立部の左右において全長に亘って上方部に前記屋根部材を支持するための係止部を有するとともに下方部に前記起立部とによって排水部を形成するフランジ部を有し、前記ジョイント樋は幅方向の中央に上方へ突出する突起部及び下方へ開口する溝部を有するとともに前記突起部の左右に長手方向に雨水が流れる樋状の流水部が設けられた樋部を有し、前記架台の長手方向の両端部において前記起立部の前記フランジ部が設けられた位置のすぐ下方にカット部が形成され、水上側と水下側の前記架台のそれぞれの前記カット部に前記ジョイント樋の長手方向の両端部における前記突起部が挿入されるとともに前記溝部が前記カット部の下端縁に嵌合され、水上側と水下側の前記架台の前記起立部に設けられた前記フランジ部の継ぎ目において、前記両架台の前記フランジ部の下面側から前記継ぎ目を覆うように前記ジョイント樋が前記起立部に装着された状態で前記架台が長手方向に接続されていることを特徴とする架台の排水構造。
【請求項５】
前記架台において、前記起立部の下方部に設けられた前記フランジ部が前記起立部の上下方向に複数段設けられ、前記カット部が前記架台の長手方向の両端部において前記起立部の最上段の前記フランジ部が設けられた位置のすぐ下方に形成され、水上側と水下側の前記架台のそれぞれの前記カット部に前記ジョイント樋の長手方向の両端部における前記突起部が挿入されるとともに前記溝部が前記カット部の前記下端縁に嵌合され、水上側と水下側の前記架台の前記起立部に設けられた最上段の前記フランジ部の継ぎ目において、前記両架台の最上段の前記フランジ部の前記下面側から前記継ぎ目を覆うように前記ジョイント樋が前記起立部に装着されているとともに、水上側と水下側の前記架台の前記起立部に設けられた上から二段目以降の前記フランジ部の全ての前記継ぎ目において、前記両架台の上から二段目以降の前記フランジ部の前記下面側から前記継ぎ目を覆うように長手方向に雨水が流れる樋状の流水部を有する樋部材が前記起立部に装着されていることを特徴とする請求項４に記載の架台の排水構造。
【請求項６】
前記架台において、前記起立部の下方部に設けられた前記フランジ部が前記起立部の上下方向に複数段設けられ、前記カット部が前記架台の長手方向の両端部において前記起立部の最上段の前記フランジ部が設けられた位置のすぐ下方に形成され、前記ジョイント樋は幅方向の中央に上方へ突出する前記突起部及び下方へ開口する前記溝部を有するとともに前記突起部の左右に前記フランジ部と同じ段数だけ前記樋部を上下方向に有し、水上側と水下側の前記架台のそれぞれの前記カット部に前記ジョイント樋の長手方向の両端部における前記突起部が挿入されるとともに前記溝部が前記カット部の前記下端縁に嵌合され、水上側と水下側の前記架台の前記起立部の上下方向に設けられた複数段の前記フランジ部の全ての前記継ぎ目において、前記両架台の前記フランジ部の前記下面側から前記継ぎ目を覆うように前記ジョイント樋が前記起立部に装着されていることを特徴とする請求項４に記載の架台の排水構造。
【請求項７】
前記架台において、前記起立部の下方部に設けられた前記フランジ部が前記起立部の上下方向に複数段設けられ、前記カット部が前記架台の長手方向の両端部において前記起立部のそれぞれの前記フランジ部が設けられた位置のすぐ下方に形成され、水上側と水下側の前記架台のそれぞれの前記カット部に前記ジョイント樋の長手方向の両端部における前記突起部が挿入されるとともに前記溝部が前記カット部の前記下端縁に嵌合され、水上側と水下側の前記架台の前記起立部の上下方向に設けられた複数段の前記フランジ部の全ての前記継ぎ目において、前記両架台の前記フランジ部の前記下面側から前記継ぎ目を覆うように前記ジョイント樋が前記起立部に装着されていることを特徴とする請求項４に記載の架台の排水構造。
【発明の詳細な説明】
【技術分野】
【０００１】
本発明は、薄板状の屋根部材の設置構造における架台の排水構造、詳しくは薄板状の屋根部材の設置構造における薄板状の屋根部材を支持する架台を長手方向に接続してなる架台の排水構造に関する。
【背景技術】
【０００２】
近年、地球環境に配慮したクリーンエネルギーである太陽光を生活の中で利用することで、二酸化炭素（ＣＯ2)の排出量を減らそうとするエコの意識が世の中で高まっている。そのため、自宅の屋根に薄板状の集熱用のガラス屋根材を設置し、軒先から取り込んだ外気を集熱用のガラス屋根材の面で暖めて、その暖まった空気を室内に取り入れるシステムや、薄板状の屋根部材の一種であって太陽光で発電する太陽電池モジュールを設置し、調理・給湯・空調などのシステムをすべて電気でまかなうシステムを採用する家庭が年々増加している。
【０００３】
従来より、自宅の屋根に上記のような薄板状の屋根部材を設置する構造として、屋根の上に固定された架台等によって薄板状の屋根部材の一種である太陽電池モジュールを支持させて屋根材として設置する構造及びその太陽電池モジュールの設置構造内に侵入した雨水等を排出するための排水路が設けられた架台の排水構造が知られている。
【先行技術文献】
【特許文献】
【０００４】
【特許文献１】特開２０１２−１３２２０９号公報
【特許文献２】特開２００５−７６２７５号公報
【０００５】
上記特許文献に記載された従来技術においては、屋根の軒棟方向の長さが長く屋根上で軒棟方向に排水路を有する架台を複数本接続する場合には、シリコン材を用いて水上側と水下側の架台の継ぎ目の隙間を塞ぎながら接続し、その両架台の継ぎ目からの漏水を防止していた。しかし、地震による架台の位置のズレやシリコン材の経年劣化等によってシリコン材が破断することにより、水上側と水下側の架台の継ぎ目から漏水が生じて架台を固定するネジ孔等に雨水が浸入するため、雨漏りや野地板を腐食させる原因となっていた。また、上記のような漏水を防止するためには、定期的なシリコン材のメンテナンスを行う必要がある。
【発明の概要】
【発明が解決しようとする課題】
【０００６】
そこで本発明は、上記のような従来技術の欠点を解消するものであり、屋根上で軒棟方向に排水路を有する架台を複数本接続して薄板状の屋根部材を屋根上に設置する薄板状の屋根部材の設置構造において、薄板状の屋根部材を支持する水上側と水下側の架台の継ぎ目からの漏水を防止するとともに、水上側と水下側の架台の継ぎ目の隙間をシリコン材を用いて塞ぎながら接続する作業を省略することができる架台の排水構造を提供することを目的とする。
【課題を解決するための手段】
【０００７】
上記の目的を達成するため、本願の請求項１に係る発明は、薄板状の屋根部材を支持するための架台を長手方向に複数本接続してなる架台の排水構造であって、架台と突起部材と樋部材とからなり、前記架台は長手方向に排水部を備える長尺な土台部と該土台部の底板部の幅方向の中央に該底板部の全長に亘って立設されたフレーム支持部とを有し、該フレーム支持部はその起立部の左右において全長に亘って上方部に前記屋根部材を支持するための係止部を有するとともに下方部に前記起立部とによって排水部を形成するフランジ部を有し、前記突起部材は棒状の部材であって上方へ突出する突起部及び下方へ開口する溝部を有し、前記樋部材は長手方向に雨水が流れる樋状の流水部を有し、水上側と水下側の前記架台の前記起立部に設けられた前記フランジ部の継ぎ目において、前記両架台の前記フランジ部の下面側から前記継ぎ目を覆うように前記樋部材が前記起立部に装着され、前記架台の長手方向の両端部において前記起立部の前記係止部が設けられた位置と前記樋部材が装着された位置の間にカット部が形成され、水上側と水下側の前記架台のそれぞれの前記カット部に前記突起部材の長手方向の両端部における前記突起部が挿入されるとともに前記溝部が前記カット部の下端縁に嵌合された状態で前記架台が長手方向に接続されていることを特徴とする。
【０００８】
また、本願の請求項２に係る発明は、前記架台において、前記起立部の下方部に設けられた前記フランジ部が前記起立部の上下方向に複数段設けられ、水上側と水下側の前記架台の前記起立部の上下方向に設けられた複数段の前記フランジ部の全ての前記継ぎ目において、前記両架台の前記フランジ部の前記下面側から前記継ぎ目を覆うように前記樋部材が前記起立部に装着され、前記カット部が前記架台の長手方向の両端部において前記起立部の前記係止部が設けられた位置と最上段の前記樋部材が装着された位置の間に形成されていることを特徴とする。
【０００９】
また、本願の請求項３に係る発明は、前記架台において、前記起立部の下方部に設けられた前記フランジ部が前記起立部の上下方向に複数段設けられ、長手方向に雨水が流れる樋状の流水部が設けられた樋部を上下方向に前記フランジ部と同じ段数だけ有するとともに前記起立部の最上段の前記フランジ部が設けられた位置のすぐ下方に装着された連結樋部材によって、水上側と水下側の前記架台の前記起立部の上下方向に設けられた複数段の前記フランジ部の全ての前記継ぎ目が前記両架台の前記フランジ部の前記下面側から覆われ、前記カット部が前記架台の長手方向の両端部において前記起立部の前記係止部が設けられた位置と前記連結樋部材が装着された位置との間に形成されていることを特徴とする。
【００１０】
また、本願の請求項４に係る発明は、薄板状の屋根部材を支持するための架台を長手方向に複数本接続してなる架台の排水構造であって、架台とジョイント樋とからなり、前記架台は長手方向に排水部を備える長尺な土台部と該土台部の底板部の幅方向の中央に該底板部の全長に亘って立設されたフレーム支持部とを有し、該フレーム支持部はその起立部の左右において全長に亘って上方部に前記屋根部材を支持するための係止部を有するとともに下方部に前記起立部とによって排水部を形成するフランジ部を有し、前記ジョイント樋は幅方向の中央に上方へ突出する突起部及び下方へ開口する溝部を有するとともに前記突起部の左右に長手方向に雨水が流れる樋状の流水部が設けられた樋部を有し、前記架台の長手方向の両端部において前記起立部の前記フランジ部が設けられた位置のすぐ下方にカット部が形成され、水上側と水下側の前記架台のそれぞれの前記カット部に前記ジョイント樋の長手方向の両端部における前記突起部が挿入されるとともに前記溝部が前記カット部の下端縁に嵌合され、水上側と水下側の前記架台の前記起立部に設けられた前記フランジ部の継ぎ目において、前記両架台の前記フランジ部の下面側から前記継ぎ目を覆うように前記ジョイント樋が前記起立部に装着された状態で前記架台が長手方向に接続されていることを特徴とする。
【００１１】
また、本願の請求項５に係る発明は、前記架台において、前記起立部の下方部に設けられた前記フランジ部が前記起立部の上下方向に複数段設けられ、前記カット部が前記架台の長手方向の両端部において前記起立部の最上段の前記フランジ部が設けられた位置のすぐ下方に形成され、水上側と水下側の前記架台のそれぞれの前記カット部に前記ジョイント樋の長手方向の両端部における前記突起部が挿入されるとともに前記溝部が前記カット部の前記下端縁に嵌合され、水上側と水下側の前記架台の前記起立部に設けられた最上段の前記フランジ部の継ぎ目において、前記両架台の最上段の前記フランジ部の前記下面側から前記継ぎ目を覆うように前記ジョイント樋が前記起立部に装着されているとともに、水上側と水下側の前記架台の前記起立部に設けられた上から二段目以降の前記フランジ部の全ての前記継ぎ目において、前記両架台の上から二段目以降の前記フランジ部の前記下面側から前記継ぎ目を覆うように長手方向に雨水が流れる樋状の流水部を有する樋部材が前記起立部に装着されていることを特徴とする。
【００１２】
また、本願の請求項６に係る発明は、前記架台において、前記起立部の下方部に設けられた前記フランジ部が前記起立部の上下方向に複数段設けられ、前記カット部が前記架台の長手方向の両端部において前記起立部の最上段の前記フランジ部が設けられた位置のすぐ下方に形成され、前記ジョイント樋は幅方向の中央に上方へ突出する前記突起部及び下方へ開口する前記溝部を有するとともに前記突起部の左右に前記フランジ部と同じ段数だけ前記樋部を上下方向に有し、水上側と水下側の前記架台のそれぞれの前記カット部に前記ジョイント樋の長手方向の両端部における前記突起部が挿入されるとともに前記溝部が前記カット部の前記下端縁に嵌合され、水上側と水下側の前記架台の前記起立部の上下方向に設けられた複数段の前記フランジ部の全ての前記継ぎ目において、前記両架台の前記フランジ部の前記下面側から前記継ぎ目を覆うように前記ジョイント樋が前記起立部に装着されていることを特徴とする。
【００１３】
また、本願の請求項７に係る発明は、前記架台において、前記起立部の下方部に設けられた前記フランジ部が前記起立部の上下方向に複数段設けられ、前記カット部が前記架台の長手方向の両端部において前記起立部のそれぞれの前記フランジ部が設けられた位置のすぐ下方に形成され、水上側と水下側の前記架台のそれぞれの前記カット部に前記ジョイント樋の長手方向の両端部における前記突起部が挿入されるとともに前記溝部が前記カット部の前記下端縁に嵌合され、水上側と水下側の前記架台の前記起立部の上下方向に設けられた複数段の前記フランジ部の全ての前記継ぎ目において、前記両架台の前記フランジ部の前記下面側から前記継ぎ目を覆うように前記ジョイント樋が前記起立部に装着されていることを特徴とする。
【発明の効果】
【００１４】
上記より、請求項１に係る発明によれば、薄板状の屋根部材の設置構造の内部へ浸入し架台に流れ込んだ雨水を、接続した水上側と水下側の架台の土台部の継ぎ目上を通過させることなく一番軒先部側に設置した架台の下端部から排出させる構造であるため、軒棟方向の長さが長い屋根上に薄板状の屋根部材を設置する場合であっても、接続した水上側のと水下側の架台の土台部の継ぎ目から漏水させる事無く確実に雨水を薄板状の屋根部材の設置構造の外へ排出することができる。またそれにより、排水性の高い架台の排水構造を提供することができるとともに、屋根の雨漏りや野地板の腐食を防止することができる。
【００１５】
また、屋根上で水上側と水下側の架台を接続する際に、それらの架台の継ぎ目の隙間をシリコン材で塞ぐ作業が必要ないため、架台の設置作業の労力を軽減することができるとともに、定期的なメンテナンス作業も省略することができる。そのため、作業者が屋根上での作業時間を短縮できるとともに、作業者の安全性を確保することができる。
【００１６】
また、請求項２及び請求項３に係る発明によれば、架台を長手方向に三本以上接続した場合であっても、架台に流れ込んだ雨水を、接続した水上側と水下側の架台の土台部の継ぎ目上を通過させることなく、一番軒先部側に設置した架台の下端部から排出させることができるため、接続した水上側と水下側の架台の土台部の継ぎ目からの漏水を確実に防止することができるとともに、薄板状の屋根部材の設置構造の内部へ浸入した雨水を確実にその設置構造の外へ排出することができる。
【００１７】
また、請求項４乃至請求項７に係る発明によれば、架台の排水構造が簡単であることから、屋根上で水上側と水下側の架台を作業者が容易に設置できるため、作業時間を短縮できるとともに作業者の安全性を確保することができる。
【図面の簡単な説明】
【００１８】
【図１】本発明の実施例に係る太陽電池モジュール体の斜視図である。
【図２】図１のＡ−Ａ線断面矢視図である。
【図３】同太陽電池モジュール体の左辺フレーム部の斜視図である。
【図４】同太陽電池モジュール体の上辺フレーム部の斜視図である。
【図５】同太陽電池モジュール体の下辺フレーム部の斜視図である。
【図６】同太陽電池モジュール体の左辺フレーム部と上辺フレーム部の連結状態を示す拡大斜視図である。
【図７】同太陽電池モジュール体の左辺フレーム部と下辺フレーム部の連結状態を示す拡大斜視図である。
【図８】本発明の実施例に係る架台の斜視図である。
【図９−１】本発明の実施例に係るジョイント樋の斜視図である。
【図９−２】本発明の他の実施例に係る突起部材の斜視図である。
【図１０−１】本発明の実施例に係る架台の排水構造におけるジョイント樋を架台に装着する際の状態を示す一部を切り欠いた斜視図である。
【図１０−２】本発明の実施例に係る架台の排水構造におけるジョイント樋を架台に装着した状態の斜視図である。
【図１１−１】本発明の実施例に係る太陽電池モジュール体を設置した状態を軒側から見た架台の継ぎ目における断面図である。
【図１１−２】本発明の他の実施例に係る太陽電池モジュール体を設置した状態を軒側から見た架台の継ぎ目における断面図である。
【図１１−３】本発明の更に他の実施例に係る太陽電池モジュール体を設置した状態を軒側から見た架台の継ぎ目における断面図である。
【図１１−４】本発明の更に他の実施例に係る太陽電池モジュール体を設置した状態を軒側から見た架台の継ぎ目における断面図である。
【図１２】同太陽電池モジュール体の上辺フレーム部と下辺フレーム部の連結状態を示す縦断面図である。
【図１３】本発明の実施例に係る軒先部付近の軒棟方向の縦断面図である。
【図１４】本発明の実施例に係る架台の排水構造の設置状態を示す斜視図である。
【発明を実施するための形態】
【００１９】
以下、本発明を図１ないし図１４に従って説明する。尚、以下では本発明に係る実施例を詳細に説明するが、本発明はこれに限定されるものではない。本実施例は、薄板状の屋根部材の一種である太陽電池モジュール（以下「ＰＶモジュール」という。）２を使用したＰＶモジュールの設置構造１０１における架台の排水構造１であって、ＰＶモジュール２の周囲を縦フレーム部３及び横フレーム部４の枠部材で囲んで形成したＰＶモジュール体５を、長手方向に接続した複数の架台６を介して屋根２０１の屋根下地２０２上に設置したＰＶモジュールの設置構造１０１において、複数の架台６をジョイント樋８を装着しながら接続する構造である。
【００２０】
図１及び図２等に示すＰＶモジュール２は、一般に使用されている単結晶シリコン系のＰＶモジュールや多結晶シリコン系のＰＶモジュールである。このＰＶモジュール２は、縦方向の一対の短辺及び横方向の一対の長辺を有する平面視略長方形状であって、薄板状に形成されたものである。そして、表面２ａ側には太陽電池セルが配置され、裏面２ｂ側には電極ボックスが配置され、その電極ボックスからは他のＰＶモジュール２と電気的に接続するための端子ケーブルが伸びている（図示せず）。
【００２１】
縦フレーム部３は、左辺フレーム部３ａと右辺フレーム部３ｂの二つからなる。この左辺フレーム部３ａ及び右辺フレーム部３ｂは、ＰＶモジュール２の左側及び右側の短辺の縁部９ａを覆いながらＰＶモジュール２の周囲を囲む枠部材である。
【００２２】
図３に示す３ａは左辺レーム部であり、厚さの薄い鋼板またはアルミニウム合金で形成された棒状の金属製の枠部材である。そして、その長さはＰＶモジュール２の短辺よりもやや長く形成されている。また、左辺フレーム部３ａは、上下方向に延びる脚部１０を有するとともに、その上方には係止部１１及び支持部１２が設けられている。
【００２３】
脚部１０は左辺フレーム部３ａのほぼ全長に亘って設けられており、脚部１０の両端部付近にはネジ孔１３が上下に二つ形成されている。そのため、このネジ孔１３を介して左辺フレーム部３ａに後述する横フレーム部４である上辺フレーム部４ａ及び下辺フレーム部４ｂをネジ１４で固定し連結することができる。尚、左辺フレーム部３ａの一方の端部では脚部１０が切欠かれている。
【００２４】
係止部１１は、脚部１０の上方であって左辺フレーム部３ａの幅方向Ｂ（以下「幅方向Ｂ」という。）の左側Ｂ１に設けられているとともに、左辺フレーム部３ａの全長に亘って設けられている。また、係止部１１は脚部１０の上端部に設けられた上段係止部１１ａと、そのすぐ下方に設けられた下段係止部１１ｂからなる。これら上段係止部１１ａ及び下段係止部１１ｂは、左辺フレーム部３ａを架台６に係止させるための部位であり、脚部１０に対して直角に設けられている。
【００２５】
また、上段係止部１１ａの方が下段係止部１１ｂよりも幅方向Ｂの左側Ｂ１方向に若干長く形成されている。また、上段係止部１１ａの先端部１５ａには平面が形成されている一方、下段係止部１１ｂの先端部１５ｂには断面略半円形状の曲面が形成されている。
【００２６】
そして、下段係止部１１ｂの底面１６ｂには、架台６に左辺フレーム部３ａを設置した際に架台６と左辺フレーム部３ａの間からの雨水の浸入を防止するための小さな突起部１８が、左辺フレーム部３ａの長手方向の全長に亘って二本設けられている。また、架台６に左辺フレーム部３ａを設置する際に架台６が傷ついて錆びるのを防止するため、突起部１８は断面略半円状に形成されている。尚、突起部１８の本数は一本でも三本以上でもよいが、毛細管現象による雨水の浸入を防止するために、複数本であることが望ましい。
【００２７】
また、上記のように突起部１８を設けて架台６と左辺フレーム部３ａの接触面積を小さくすることで、突起部１８が無い場合に比べて接触面の面圧が上がって摩擦係数が少なくなるため、架台６に左辺フレーム部３ａを設置する際の労力が軽減される。
【００２８】
一方、支持部１２は脚部１０の上方であって幅方向Ｂの右側Ｂ２に設けられているとともに、左辺フレーム部３ａの長手方向の両端部付近以外のほぼ全長に亘って設けられている。また、支持部１２は脚部１０の上端に設けられた上方支持部１２ａと、そのすぐ下方に設けられた下方支持部１２ｂからなる。
【００２９】
そして、これらの上方支持部１２ａと下方支持部１２ｂは脚部１０に対して直角で幅方向Ｂの右側Ｂ２方向にほぼ等しい長さに設けられ、上方支持部１２ａと下方支持部１２ｂとの間にはＰＶモジュール２の左側の短辺の縁部９ａを挿入し支持するための断面略コの字状の支持溝１９が形成されている。
【００３０】
この支持溝１９にシリコン等の接着材２０を流し込むとともに、ＰＶモジュール２の左側の短辺の縁部９ａを挿入することにより、ＰＶモジュール２の短辺の縁部９ａに左辺フレーム部３ａを固定することができる。また、支持溝１９にシリコン等の接着剤２０を流し込んでいるため、支持溝１９内への雨水の浸入を防止することができる。
【００３１】
また、脚部１０と上方支持部１２ａが形成する隅部には、支持溝１９内に突出する断面略長方形状の膨出部２１が支持溝１９の全長に亘って設けられている。そのため、シリコン等の接着剤２０が流し込まれた支持溝１９にその奥までＰＶモジュール２の短辺の縁部９ａを挿入したときに、ＰＶモジュール２の縁部９ａによって余分な接着剤２０が膨出部２１と下方支持部１２ｂの間の隙間２２に押し込まれる。そして、その余分な接着剤２０は、隙間２２を通って支持溝１９内の接着剤２０の足りていない場所に流れ込むため、接着剤２０を支持溝１９内に均等に行き渡らせることができ、支持溝１９内への雨水の浸入をより確実に防止することができる。
【００３２】
また、支持溝１９内に膨出部２１が設けられているため、支持溝１９内にＰＶモジュール２の短辺の縁部９ａを膨出部２１に当接するまで挿入しても、図１１−１等に示すように、ＰＶモジュール２の表面２ａ側の縁部９ａ付近が膨出部２１に当接する一方、裏面２ｂ側の縁部９ａ付近はシリコン等の接着剤２０に周りを覆われた状態であるため左辺フレーム部３ａに接触することがない。
【００３３】
よって、ＰＶモジュール２の裏面２ｂ側の縁部９ａ付近に配置されＰＶモジュール２を形成するＰＶセル同士を結合しているタブリボンやハンダ部分が、金属製の左辺フレーム部３ａと接触することがないため、ＰＶセルで作られた電気が漏電するのを防止することができる。
【００３４】
一方、ＰＶモジュール２の右側の短辺の縁部９ａを挿入する右辺フレーム部３ｂは、図３に示す左辺フレーム部３ａと左右対称の構造となっている。そのため、以下では右辺フレーム部３ｂの部位の名称及び符号について、左辺フレーム部３ａの対応する部位の名称及び符号と同一のものを使用する。尚、右辺フレーム部３ｂの材質も左辺フレーム部３ａと同様に鋼板またはアルミニウム合金で形成されている。
【００３５】
横フレーム部４は上辺フレーム部４ａと下辺フレーム部４ｂの二つからなり、その上辺フレーム部４ａと下辺フレーム部４ｂは、ＰＶモジュール２の上側及び下側の長辺の縁部９ｂを覆いながらＰＶモジュール２の周囲を囲む枠部材である。
【００３６】
図４に示す４ａは上辺フレーム部であり、厚さの薄い鋼板またはアルミニウム合金で形成された棒状の金属製の枠部材である。そして、その長さはＰＶモジュール２の長辺とほぼ同じ長さに形成されている。
【００３７】
この上辺フレーム部４ａの下部には、上辺フレーム部４ａの幅方向Ｃ（以下「幅方向Ｃ」という。）に延びる底板部２３が全長に亘って設けられている。そして、その底板部２３の真ん中から幅方向Ｃのやや右側Ｃ２寄りの位置に、上下方向に延びる起立部２４が底板部２３の全長に亘って底板部２３に対し垂直に設けられている。
【００３８】
そして、その起立部２４の中段及び起立部２４と底板部２３とが形成する隅部であって幅方向Ｃの左側Ｃ１には、左側Ｃ１に開口する断面略Ｃ字状のタッピングホール２５がネジ受けとして設けられている。これにより、上辺フレーム部４ａの両端面に、縦フレーム部３である左辺フレーム部３ａ及び右辺フレーム部３ｂをネジ１４により固定して連結することができる。
【００３９】
また、底板部２３の幅方向Ｃの右側Ｃ２には断面略逆Ｌ字状の段部２６が設けられており、底板部２３の厚さ分だけ高くなっている。そのため、その段部２６の下方には隙間２８が形成されている。尚、上辺フレーム部４ａの長手方向の両端部付近では、段部２６の平面部２６ａが切り欠かれていている。これは、後述する雨樋部２９の両端から流れ落ちてきた雨水の流れを遮らずに架台６の上段フランジ部６４ａの上段排水部７１ａへ導くためである。
【００４０】
また、段部２６の平面部２６ａには、上辺フレーム部４ａをネジ３０等により屋根２０１に固定するための切欠き部３１が二カ所設けられている。この切欠き部３１は、平面部２６ａの先端部２６ｂに向かって開口するＵ字状に形成されている。尚、本実施例では切欠き部３１は二カ所に設けられているが、それ以上の箇所に設けてもよい。
【００４１】
上記のように切欠き部３１を設けることで、この切欠き部３１を介して上辺フレーム部４ａを屋根２０１の屋根下地２０２上に設置された補助桟木２０３にネジ３０により固定することができる。また、上辺フレーム部４ａを固定しているネジ３０を完全に外さないで緩めるだけで上辺フレーム部４ａを補助桟木２０３から取り外しできるため、屋根２０１に設置されたＰＶモジュール２の取り外しの時間を短縮することができるとともに、作業者の屋根２０１上での作業時間も短縮できるため、作業者の安全性を確保することができる。
【００４２】
起立部２４の上方であって幅方向Ｃの左側Ｃ１には、支持部３２が上辺フレーム部４ａの全長に亘って設けられている。また、支持部３２は起立部２４の上端部に設けられた上方支持部３２ａと、そのすぐ下方に設けられた下方支持部３２ｂからなる。そして、これらの上方支持部３２ａと下方支持部３２ｂは底板部２３に対して水平で幅方向Ｃの左側Ｃ１方向にほぼ等しい長さに設けられ、その上方支持部３２ａと下方支持部３２ｂとの間には、ＰＶモジュール２の上側の長辺の縁部９ｂを挿入し支持するための断面略コの字状の支持溝３３が形成されている。
【００４３】
この上辺フレーム部４ａの支持溝３３にシリコン等の接着材２０を流し込むとともに、ＰＶモジュール２の上側の長辺の縁部９ｂを挿入することにより、ＰＶモジュール２に上辺フレーム部４ａを固定することができる。また、支持溝３３にシリコン等の接着剤２０を流し込んでいるため、支持溝３３内への雨水の浸入を防止することができる。
【００４４】
また、起立部２４と上方支持部３２ａが形成する隅部には、縦フレーム部３（左辺フレーム部３ａ及び右辺フレーム部３ｂ）と同様の支持溝３３内に突出する断面略長方形状の膨出部３４が支持溝３３の全長に亘って設けられている。
【００４５】
そのため、シリコン等の接着剤２０が流し込まれた支持溝３３にその奥までＰＶモジュール２の上側の長辺の縁部９ｂを挿入したときに、縦フレーム部３の場合と同様に、膨出部３４と下方支持部３２ｂの間の隙間３７によって接着剤２０を支持溝３３内に均等に行き渡らせることができ、支持溝３３内への雨水の浸入をより確実に防止することができる。
【００４６】
また、図１２に示すように、ＰＶモジュール２の裏面２ｂ側の縁部９ｂ付近がシリコン等の接着剤２０に周りを覆われた状態であり、ＰＶセルのタブリボン等が上辺フレーム部４ａと接触することが無いため、ＰＶセルで作られた電気が漏電するのを防止することができる。
【００４７】
起立部２４の中段やや下方であって幅方向Ｃの右側Ｃ２には、断面略くの字状の雨樋部２９が設けられている。この雨樋部２９は、段部２６と同じ側であって上辺フレーム部４ａの両端部付近以外のほぼ全長に亘って設けられている。また、雨樋部２９はくの字状に折り曲げられているため、その内側に雨水を貯めたり、その貯めた雨水を雨樋部２９の両端から排出したりすることができる。
【００４８】
起立部２４の上方であって幅方向Ｃの右側Ｃ２には、リブ３５が設けられている。このリブ３５は底板部２３に対し水平に設けられているとともに、上辺フレーム部４ａの全長に亘って設けられている。
【００４９】
そして、このリブ３５は、後述する下辺フレーム部４ｂの挟持部４５に形成された挿入溝４６に挿入して嵌合させるための部位であるが、その挿入溝４６に挿入しやすくすることで上辺フレーム部４ａと下辺フレーム部４ｂの嵌合作業を容易にするため、先端部には断面略半円状の曲面３５ａが形成されている。尚、リブ３５の先端部の形状は、下辺フレーム部４ｂの挟持部４５の挿入溝４６に挿入しやすい形状であればよく、断面略三角形状に尖らせた形状であってもよい。
【００５０】
また、リブ３５の上面３５ｂの付け根付近には傾斜面３５ｃが設けられている。この傾斜面３５ｃは、リブ３５の先端部へ向かって下る方向に傾斜するように形成されており、後述する下辺フレーム部４ｂと隙間なく連結させるために設けられている。
【００５１】
一方、図５に示す４ｂは下辺フレーム部であり、厚さの薄い鋼板またはアルミニウム合金で形成された棒状の金属製の枠部材である。そして、その長さはＰＶモジュール２の長辺とほぼ同じ長さに形成されている。
【００５２】
この下辺フレーム部４ｂの下部には、下辺フレーム部４ｂの幅方向Ｄ（以下「幅方向Ｄ」という。）に延びる底板部３６が全長に亘って設けられている。そして、その底板部３６の幅方向Ｄのほぼ真ん中の位置に、上下方向に延びる起立部３８が全長に亘って垂直に設けられている。
【００５３】
そして、その起立部３８の中段及び起立部３８と底板部３６とが形成する隅部であって幅方向Ｄの左側Ｄ１には、左側Ｄ１に開口する断面略Ｃ字状のタッピングホール３９がネジ受けとして設けられている。これにより、下辺フレーム部４ｂの両端面に、縦フレーム部３である左辺フレーム部３ａ及び右辺フレーム部３ｂをネジ１４により固定し連結することができる。
【００５４】
また、底板部３６において、起立部３８よりも幅方向Ｄの右側Ｄ２の部分であって長手方向の両端部付近では底板部３６が切り欠かれている。これは、図１２に示すように、上辺フレーム部４ａと下辺フレーム部４ｂを連結させた際に、雨樋部２９の両端から流れ落ちてきた雨水の流れを遮らずに、後述する架台６の上段フランジ部６４ａの排水部７１ａへと導くためである。
【００５５】
また、底板部３６の幅方向Ｄの右側Ｄ２には、下辺フレーム部４ｂをネジ３０等により屋根２０１に固定するための切欠き部４０が二カ所設けられている。この切欠き部４０は、底板部３６の幅方向Ｄの右側Ｄ２の端部に向かって開口しＵ字状に形成されている。尚、本実施例では切欠き部４０は二カ所に設けられているが、それ以上の箇所に設けてもよい。
【００５６】
上記のように切欠き部４０を設けることで、この切欠き部４０を介して下辺フレーム部４ｂを屋根２０１の屋根下地２０２上に設けられた補助桟木２０３にネジ３０により固定することができる。また、下辺フレーム部４ｂを固定しているネジ３０を完全に外さないで緩めるだけで下辺フレーム部４ｂを補助桟木２０３から取り外しできるため、屋根２０１に設置されたＰＶモジュール２の取り外しの時間を短縮できるとともに、作業者の屋根２０１上での作業時間も短縮できるため、作業者の安全性を確保することができる。
【００５７】
起立部３８の上方であって幅方向Ｄの左側Ｄ１には、支持部４１が下辺フレーム部４ｂの全長に亘って設けられている。また、支持部４１は起立部３８の上端部に設けられた上方支持部４１ａと、そのすぐ下方に設けられた下方支持部４１ｂからなる。そして、これらの上方支持部４１ａと下方支持部４１ｂは底板部３６に対して水平で幅方向Ｄの左側Ｄ１方向にほぼ等しい長さに設けられ、その上方支持部４１ａと下方支持部４１ｂとの間にはＰＶモジュール２の下側の長辺の縁部９ｂを挿入し支持するための断面略コの字状の支持溝４２が形成されている。
【００５８】
この下辺フレーム部４ｂの支持溝４２にシリコン等の接着材２０を流し込むとともに、ＰＶモジュール２の下側の長辺の縁部９ｂを挿入することにより、ＰＶモジュール２に下辺フレーム部４ｂを固定することができる。また、支持溝４２にシリコン等の接着剤２０を流し込んでいるため、支持溝４２内への雨水の浸入を防止することができる。
【００５９】
また、起立部３８と上方支持部４１ａが形成する隅部には、縦フレーム部３（左辺フレーム部３ａ及び右辺フレーム部３ｂ）及び上辺フレーム部４ａと同様の支持溝４２内に突出する断面略長方形状の膨出部４３が支持溝４２の全長に亘って設けられている。
【００６０】
そのため、シリコン等の接着材２０が流し込まれた支持溝４２にその奥までＰＶモジュール２の下側の長辺の縁部９ｂを挿入したときに、縦フレーム部３や上辺フレーム部４ａの場合と同様に、膨出部４３と下方支持部４１ｂの間の隙間４４によって接着剤２０を支持溝４２内に均等に行き渡らせることができ、支持溝４２内への雨水の浸入をより確実に防止することができる。
【００６１】
また、図１２に示すように、ＰＶモジュール２の裏面２ｂ側の縁部９ｂ付近がシリコン等の接着剤２０に周りを覆われた状態であり、ＰＶセルのタブリボン等が下辺フレーム部４ｂと接触することが無いため、ＰＶセルで作られた電気が漏電するのを防止することができる。
【００６２】
一方、起立部３８の上方において、幅方向Ｄの右側Ｄ２に開口する挟持部４５が下辺フレーム部４ｂの全長に亘って設けられている。この挟持部４５は、起立部３８の上端部に設けられた上方挟持部４５ａと、そのすぐ下方に設けられた下方挟持部４５ｂからなる。そして、これらの上方挟持部４５ａと下方挟持部４５ｂは底板部３６に対して水平に設けられ、その上方挟持部４５ａと下方挟持部４５ｂとの間には、断面略コの字状の挿入溝４６が形成されている。そのため、この挿入溝４６には上辺フレーム部４ａのリブ３５が挿入可能となっている。
【００６３】
また、上方挟持部４５ａの先端部には傾斜面４８が設けられている。この傾斜面４８は、上辺フレーム部４ａのリブ３５に設けられている傾斜面３５ｃと同じ角度で傾斜している。そのため、下辺フレーム部４ｂの傾斜面４８と上辺フレーム部４ａの傾斜面３５ｃを隙間なく接触させることができる。
【００６４】
尚、本実施例では上辺フレーム部４ａにリブ３５が設けられ下辺フレーム部４ｂに挟持部４５が設けられているが、上辺フレーム部４ａに挟持部４５が設けられ下辺フレーム部４ｂにリブ３５が設けられていてもよい。
【００６５】
また、下辺フレーム部４ｂの上面４９には、横長略長方形状の雪止め部５０が起立部３８に沿って二カ所に設けられている。この雪止め部５０により、ＰＶモジュール２の表面２ａ側に積もった雪が一気に滑り落ちずに堰き止められるため、屋根２０１からの不意な落雪による事故を防止することができる。
【００６６】
上記構造により、上辺フレーム部４ａと下辺フレーム部４ｂが連結可能となっている。具体的には、図１２に示すように、下辺フレーム部４ｂの挟持部４５に形成された挿入溝４６に上辺フレーム部４ａのリブ３５を挿入して嵌合させるとともに、上辺フレーム部４ａの底板部２３の段部２６により形成された隙間２８に下辺フレーム部４ｂの底板部３６を挿入して係止させる。
【００６７】
また、下辺フレーム部４ｂの挿入溝４６の奥まで上辺フレーム部４ａのリブ３５を挿入しつつ、下辺フレーム部４ｂの上方挟持部４５ａの先端部に設けられた傾斜面４８と上辺フレーム部４ａのリブ３５に設けられた傾斜面３５ｃを当接させることで、上辺フレーム部４ａと下辺フレーム部４ｂとの間に隙間が生じないように密着させながら連結する事ができる。
【００６８】
これにより、風雨時であっても上辺フレーム部４ａと下辺フレーム部４ｂとの間から雨水が侵入するのを防止することができる。尚、挿入溝４６の幅をリブ３５の厚さとほぼ同じにして隙間をなくすことで、雨水が浸入するのを更に防止することができる。
【００６９】
また、仮に下辺フレーム部４ｂの挟持部４５に形成された挿入溝４６から雨水が侵入した場合であっても、その雨水は雨樋部２９内に確実に流れ落ち、雨樋部２９の両端から後述する架台６の上段フランジ部６４ａの排水部７１ａに確実に流れ落ちるため、侵入した雨水をＰＶモジュールの設置構造１０１の外に排出することが可能となっている。
【００７０】
尚、本実施例においては、上辺フレーム部４ａの底板部２３に段部２６が設けられているが、下辺フレーム部４ｂの底板部３６に段部２６が設けられていてもよい。また、雨樋部２９が上辺フレーム部４ａの起立部２４に設けられているが、下辺フレーム部４ｂの起立部３８に設けられていてもよい。
【００７１】
また、本実施例では、雪止め部５０は下辺フレーム部４ｂの上面４９に設けられているが、上辺フレーム部４ａの上面５１に設けられていてもよい。但し、上辺フレーム部４ａの上面５１に設けられている場合には、雪止め部５０に堰き止められて溜まった雪や雨水が上辺フレーム部４ａと下辺フレーム部４ｂとの間から侵入する可能性が高くなるため、下辺フレーム部４ｂの上面４９に設けられている方が望ましい。
【００７２】
上辺フレーム部４ａと下辺フレーム部４ｂの連結時に、図１２に示すように、上辺フレーム部４ａの上面５１と下辺フレーム部４ｂの上面４９とが面一になることが望ましい。面一にして段差をなくすことで、風雨時に上辺フレーム部４ａの上面５１及び下辺フレーム部４ｂの上面４９に雨水が吹き寄せられて溜まる事がないため、上辺フレーム部４ａと下辺フレーム部４ｂとの間から雨水が侵入するのを防止することができるとともに、意匠性の高い見た目の綺麗なＰＶモジュールの設置構造１０１とすることができる。
【００７３】
また、上記構造により、縦フレーム部３と横フレーム部４の連結が可能となっている。具体的には、縦フレーム部３である左辺フレーム部３ａ及び右辺フレーム部３ｂの長手方向の両端部付近においては支持部１２が設けられていないため、図６及び図７に示すように、左辺フレーム部３ａ及び右辺フレーム部３ｂの脚部１０の側面に上辺フレーム部４ａの端面及び下辺フレーム部４ｂの端面をそれぞれ当接させる。そして、ネジ孔１３にネジ１４を挿入して上辺フレーム部４ａのタッピングホール２５及び下辺フレーム部４ｂのタッピングホール３９に螺合することで、縦フレーム部３と横フレーム部４とを連結することができる。
【００７４】
このとき、左辺フレーム部３ａ及び右辺フレーム部３ｂの脚部１０の側面、上辺フレーム部４ａの端面及び下辺フレーム部４ｂの端面はそれぞれ平面であるため、ぴったりと密着して隙間が無い状態となる。また、図６及び図７に示すように、左辺フレーム部３ａ（右辺フレーム部３ｂ）の支持部１２の両端面と、上辺フレーム部４ａの支持部３２の先端部または下辺フレーム部３ｂの支持部４１の先端部が接した状態となる。そのため、縦フレーム部３と横フレーム部４の間からの雨水の浸入を防止することができる。
【００７５】
また、縦フレーム部３（左辺フレーム部３ａ及び右辺フレーム部３ｂ）と横フレーム部４（上辺フレーム部４ａ及び下辺フレーム部４ｂ）の連結時に、縦フレーム部３の上面５２（上段係止部１１ａの上面１７ａ）、上辺フレーム部４ａの上面５１及び下辺フレーム部４ｂの上面４９がほぼ同じ高さとなることが望ましい。
【００７６】
ほぼ同じ高さにして段差をなるべくなくすことで、風雨時に雨水が吹き寄せられて溜まりにくくなるため、縦フレーム部３と横フレーム部４との間から雨水が浸入するのを防止することができるとともに、意匠性の高い見た目の綺麗なＰＶモジュールの設置構造１０１とすることができる。
【００７７】
また、上記のようにＰＶモジュール２の四辺の縁部９に縦フレーム部３及び横フレーム部４をシリコン等の接着剤２０で固定するとともに、縦フレーム部３及び横フレーム部４をネジ１４により連結することで、図１及び図２に示すＰＶモジュール体５を形成することができる。
【００７８】
尚、本実施例においては、縦フレーム部３及び横フレーム部４は鋼板またはアルミニウム合金などの金属で形成されているが、プラスチック等の樹脂で形成されていてもよい。
【００７９】
図８に示す６は、ＰＶモジュール体５を支えるための架台である。架台６は、土台部５３とフレーム支持部５４からなり、厚さの薄い鋼板またはアルミニウム合金で形成された棒状の金属製の部材である。
【００８０】
土台部５３を形成する底板部５５は、縦長略長方形状の平らな板状部位であって架台６の全長に亘って設けられている。そして、底板部５５（架台６）の幅方向Ｅ（以下「幅方向Ｅ」という。）の両端よりやや内側寄りの位置において、底板部５５に対し垂直方向に延びる仕切り部５６が底板部５５の全長に亘って設けられている。この仕切り部５６と底板部５５と後述するフレーム支持部５４の起立部５８とによって排水部５９が形成され、流れ込んできた雨水をＰＶモジュールの設置構造１０１の外に排出する役割を果たす。
【００８１】
また、この底板部５５の幅方向Ｅの両端には架台６を屋根２０１の屋根下地２０２上に固定するためのネジ孔６０が、底板部５５（架台６）の長手方向に沿って複数箇所に設けられている。
【００８２】
また、底板部５５と仕切り部５６が形成する隅部には、底板部５５の幅方向Ｅの両端側に向かって開口する断面略Ｃ字状のタッピングホール６１が架台６の全長に亘って設けられている。これにより、二つの架台６，６を一直線に並べてそれぞれのタッピングホール６１，６１に一本の円柱状の細長いピン５７の両端をそれぞれ挿入しながら架台６の端面を互いに当接させることで、架台６を連続的に接続することができ、長さの長い架台６の設置が必要な場合にも対応することができる。
【００８３】
尚、図８等に示すように、底板部５５の裏面６２には、幅方向Ｅに複数の波状の凹凸が施され、その凹凸が底板部５５の長手方向の全長に亘って設けられている。裏面６２にそのような凹凸を設けることで、毛細管現象により底板部５５の裏面６２と屋根下地２０２との間に雨水が浸入するのを防止することができる。
【００８４】
５４はフレーム支持部であり、起立部５８と係止部である係止用突部６３とフランジ部６４とからなる。具体的には、底板部５５（架台６）の幅方向Ｅの中央において底板部５５に対し垂直に上方へ延びる起立部５８が、底板部５５の長手方向の全長に亘って設けられている。そして、その起立部５８の上端部には上段係止用突部６３ａが、その上段係止用突部６３ａのすぐ下方には下段係止用突部６３ｂが、起立部５８の中段やや下方には上段フランジ部６４ａが、その上段フランジ部６４ａの下方には下段フランジ部６４ｂがそれぞれ底板部５５に対し水平方向に延びるように設けられるとともに、起立部５８の全長に亘って設けられている。尚、本実施例では、強度を保つために下端部が左右に分岐した起立部５８が底板部５５上に設けられているが、図１１−２に示すような左右に分岐しない平板状の起立部５８が底板部５５上に設けられていても良い。
【００８５】
また、上段係止用突部６３ａ、下段係止用突部６３ｂ、上段フランジ部６４ａ及び下段フランジ部６４ｂは、薄板状であって起立部５８の左右に等しい幅で幅方向Ｅに延びるように設けられている。そして、上段フランジ部６４ａ及び下段フランジ部６４ｂの幅は、上段係止用突部６３ａ及び下段係止用突部６３ｂの幅よりも広く形成されている。
【００８６】
左右の上段係止用突部６３ａ，６３ａの上面６５ａには、架台６に縦フレーム部３である左辺フレーム部３ａ及び右辺フレーム３ｂを設置した際に、上段係止用突部６３ａと左辺フレーム部３ａまたは右辺フレーム３ｂの間から雨水の浸入を防止するための小さな突起部６６が、架台６の長手方向に全長に亘って二本ずつ設けられている。また、架台６に左辺フレーム部３ａ及び右辺フレーム３ｂを設置する際に、架台６と左辺フレーム部３ａまたは右辺フレーム３ｂが当たって傷つき錆びるのを防止するため、突起部６６は断面略半円状に形成されている。尚、突起部６６の本数は一本でも三本以上でも良いが、毛細管現象による雨水の浸入を防止するため、複数本であることが望ましい。
【００８７】
また、上記のように突起部６６を設けて架台６と左辺フレーム部３ａまたは右辺フレーム３ｂの接触面積を小さくすることで、突起部６６が無い場合に比べて接触面の面圧が上がり摩擦係数が少なくなるため、架台６にＰＶモジュール体５を設置する際の労力が軽減される。
【００８８】
上記のような構成とすることで、架台６のフレーム支持部５４に左辺フレーム部３ａ及び右辺フレーム３ｂを支持させて、ＰＶモジュール体５を設置することが可能となる。具体的には、図１１−１に示すように、左辺フレーム部３ａまたは右辺フレーム３ｂの上段係止部１１ａの底面１６ａと、架台６の上段係止用突部６３ａの上面６５ａとを対峙させて係止させつつ、左辺フレーム部３ａまたは右辺フレーム３ｂの下段係止部１１ｂの底面１６ｂと架台６の下段係止用突部６３ｂの上面６５ｂとを対峙させて係止させる。これにより、架台６のフレーム支持部５４の二か所で左辺フレーム部３ａ及び右辺フレーム部３ｂを支持させることができるため、ＰＶモジュール体５を安定的に設置することができる。
【００８９】
また、上記のように左辺フレーム部３ａ及び右辺フレーム部３ｂは二か所でフレーム支持部５４によって支持されているため、架台６のフレーム支持部５４上においてＰＶモジュール体５を安定した状態で所望の位置までスライドさせることができる。
【００９０】
架台６の上段係止用突部６３ａの先端部６８ａ及び下段係止用突部６３ｂの先端部６８ｂには曲面が形成されている。また、左辺フレーム部３ａ及び右辺フレーム部３ｂの下段係止部１１ｂの先端部１５ｂにも曲面が形成されている。これらの曲面により、架台６に左辺フレーム部３ａや右辺フレーム部３ｂをスムーズにスライドさせて設置することができるとともに、架台６や左辺フレーム部３ａや右辺フレーム部３ｂが傷ついて錆びるのを防止することができる。
【００９１】
また、上記のように架台６にＰＶモジュール体５を設置する際に、ＰＶモジュール体５が屋根２０１の桁行方向Ｇ（以下「桁行方向Ｇ」という。）にずれて移動するような場合であっても、左辺フレーム部３ａ及び右辺フレーム部３ｂがフレーム支持部５４と当接するため、それ以上桁行方向Ｇに移動することがない。そのため、ＰＶモジュール体５が架台６から脱落するのを防止することができ、作業者が安全に設置作業を行うことができる。
【００９２】
尚、架台６の左右両側にＰＶモジュール体５を支持させたときに、図１１−１に示すように、左辺フレーム部３ａと右辺フレーム部３ｂの互いの上段係止部１１ａ，１１ａの先端部１５ａの平面同士が隙間なく当接して、左辺フレーム部３ａの上面５２と右辺フレーム部３ｂの上面５２が面一な平面を形成し、架台６の左右の上段係止用突部６３ａ，６３ａの上面６５ａが完全に覆われる構造になっている。
【００９３】
そのため、風雨時におけるＰＶモジュールの設置構造１０１内への雨水の浸入を防止することができるとともに、雨水が吹き寄せられて左辺フレーム部３ａ及び右辺フレーム部３ｂの上面５２に溜まるのを防止することができる。
【００９４】
また、架台６の上段係止用突部６３ａと下段係止用突部６３ｂの間に形成された隙間６９に、ＰＶモジュール体５の左辺フレーム部３ａまたは右辺フレーム３ｂの下段係止部１１ｂが挿入された状態となることで、ＰＶモジュール体５の屋根下地２０２に対する垂直方向への移動が上段係止用突部６３ａと下段係止用突部６３ｂによって制限されるため、ＰＶモジュール体５を架台６に設置する際に、ＰＶモジュール体５が強風により吹き上がるのを防止することができ、作業者が安全に設置作業を行うことができる。
【００９５】
尚、突起部１８は、左辺フレーム部３ａ及び右辺フレーム３ｂの下段係止部１１ｂの底面１６ｂではなく、その底面１６ｂと対峙する架台６の下段係止用突部６３ｂの上面６５ｂに設けてもよいし、その両面に設けてもよい。また、突起部６６は、架台６の上段係止用突部６３ａの上面６５ａではなく、その上面６５ａと対峙する左辺フレーム部３ａ及び右辺フレーム部３ｂの上段係止部１１ａの底面１６ａに設けてもよいし、その両面に設けてもよい。
【００９６】
また、上記のように対峙する双方の面に突起部１８，６６をそれぞれ設ける場合には、左辺フレーム部３ａ及び右辺フレーム部３ｂを架台６に設置したときに突起部１８または突起部６６同士が衝突しない位置に設けるよう注意する。
【００９７】
起立部５８の左右に設けられた上段フランジ部６４ａ，６４ａは、起立部５８から先端部７０ａにかけて下る方向に緩やかに傾斜するとともに、その先端部７０ａ付近で斜め上方に二段階折り曲げられている。そして、この左右の上段フランジ部６４ａ，６４ａと起立部５８とによって、起立部５８の左右に排水部７１である上段排水部７１ａ，７１ａが形成されている。そのため、上段排水部７１ａに流れ落ちてきた雨水は起立部５８から遠ざかりながら水下側へ流れ落ちる。
【００９８】
尚、起立部５８と左右の上段フランジ部６４ａ，６４ａの隅部には傾斜面７３ａが形成されているため、起立部５８を伝って上方から流れ落ちてきた雨水はその隅部に留まることはなく、起立部５８から遠ざかりながら上段排水部７１ａ内を水下側へ流れ落ちる。よって、水上側と水下側の架台６，６の起立部５８の左右に設けられた上段フランジ部６４ａの継ぎ目８４ｃにおいて、上段排水部７１ａ内を流れ落ちてきた雨水が起立部５８と左右の上段フランジ部６４ａ，６４ａの隅部（傾斜面７３ａ）から水上側と水下側の架台６，６のフレーム支持部５４の起立部５８の隙間に侵入することはない。
【００９９】
また、起立部５８の左右に設けられた下段フランジ部６４ｂ，６４ｂは、起立部５８から先端部７０ｂにかけて下る方向にやや緩やかに傾斜し、起立部５８から下段フランジ部６４ｂの幅の約１／３下った付近で下る方向に大きく傾斜した後、再び先端部７０ｂにかけて下る方向に緩やかに傾斜し、起立部５８から下段フランジ部６４ｂの幅の約２／３下った付近で斜め上方に折り曲げられている。そして、この左右の下段フランジ部６４ｂ，６４ｂと起立部５８とによって左右に排水部７１である下段排水部７１ｂ，７１ｂが形成されている。そのため、下段排水部７１ｂに流れ落ちてきた雨水は、起立部５８から遠ざかり、下段フランジ部６４ｂにおいて高さの一番低い窪み部７２に集まりながら水下側へ流れ落ちる。
【０１００】
尚、起立部５８の左右に設けられた下段フランジ部６４ｂ，６４ｂは、起立部５８から先端部７０ｂにかけて途中まで下る方向に傾斜しているため、下段フランジ部６４ｂの下段排水部７１ｂに流れ落ちてきた雨水は下段フランジ部６４の付け根付近に留まることはなく起立部５８から遠ざかりながら下段排水部７１ｂ内を水下側へ流れ落ちる。よって、水上側と水下側の架台６，６の起立部５８の左右に設けられた下段フランジ部６４ｂの継ぎ目８４ｄにおいて、左右の下段フランジ部６４ｂ，６４ｂの付け根付近から水上側と水下側の架台６，６のフレーム支持部５４の起立部５８の隙間に雨水が侵入することはない。
【０１０１】
また、仕切り部５６の高さは、土台部５３の排水部５９に多くの雨水が流れ込んだ場合であってもその雨水をＰＶモジュールの設置構造１０１の外に排出できるように、なるべく高く形成されていることが望ましいが、架台６にＰＶモジュール体５を設置したときに、仕切り部５６が上辺フレーム部４ａの底板部２３及び下辺フレーム部４ｂの底板部３６に接触しないような高さとするよう注意する。
【０１０２】
また、架台６の長手方向の両端部において、起立部５８の上段フランジ部６４ａが設けられた位置と下段フランジ部６４ｂが設けられた位置の間であって上段フランジ部６４ａのすぐ下方には、後述するジョイント樋８を挿入するためのカット部７４が形成されている。このカット部７４は、起立部５８を架台６の長手方向に延びる横長略長方形状に切り欠くことで形成されている。
【０１０３】
尚、本実施例においては、架台６は鋼板またはアルミニウム合金などの金属で形成されているが、プラスチック等の樹脂で形成されていてもよい。
【０１０４】
８はジョイント樋であり、厚さの薄い鋼板またはアルミニウム合金で形成された金属製の部材であって、屋根２０１の軒棟方向Ｈ（以下「軒棟方向Ｈ」という。）に架台６を接続する際に使用する部材である。そして、ジョイント樋８は複数の樋部９２と突起部７８と溝部８０が一体に形成されている部材である。
【０１０５】
具体的に説明すると、ジョイント樋８の上部は、図９−１に示すように、正面視略Ｗ字状であって、ジョイント樋８の幅方向Ｆ（以下「幅方向Ｆ」という。）の中央の上面７６ａ側には上方へ略三角形状に突出する突起部７８が、下面７９ａ側には下方に開口する正面視略コの字状の溝部８０が設けられている。
【０１０６】
そして、ジョイント樋８の上部の幅方向Ｆであって突起部７８の左右両側には樋部９２である上段樋部９２ａが設けられ、上段樋部９２ａの長手方向には、雨水を通過させる樋状の流水部８２である上段流水部８２ａが設けられている。この上段樋部９２ａは、突起部７８から両端部８１，８１にかけて下る方向に緩やかに傾斜し、突起部７８と両端部８１，８１との間の真ん中よりやや端部８１寄りの位置から斜め上方に二段階折り曲げられているため、上段樋部９２ａの一番低い部分は突起部７８と両端部８１，８１との間の真ん中よりやや端部８１寄りの位置に設けられている。
【０１０７】
そのため、上段樋部９２ａの上段流水部８２ａに流れ落ちてきた雨水は、突起部７８と両端部８１，８１との間の真ん中よりやや端部８１寄りの位置に集まりながら水下側へ流れ落ちる。尚、ジョイント樋８の上部の両端部８１，８１間の幅は、架台６の起立部５８に設けられた左右の上段フランジ部６４ａの両先端部７０ａ，７０ａ間の幅よりも広く形成されている。また、左右の先端部８１の高さは突起部７８の高さよりも高い位置まで設けられている（図１１−１参照）。
【０１０８】
また、ジョイント樋８の下部には、図９−１に示すように、正面視略Ｌ字状であって、上段樋部９２ａの下面７９ａの両端部８１，８１付近からぶら下がるように樋部９２である下段樋部９２ｂが固定されている。そして、左右の下段樋部９２ｂ，９２ｂの先端部８３が内側の斜め上方へ折り曲げられている。また、それぞれの下段樋部９２ｂ，９２ｂには、長手方向に雨水を通過させる樋状の流水部８２である下段流水部８２ｂが設けられている。
【０１０９】
また、下段樋部９２ｂは、幅方向Ｆの両端部から真ん中にかけて下る方向に緩やかに傾斜しているため、下段樋部９２ｂの一番低い部分は、下段樋部９２ｂの両端部間のほぼ真ん中の位置に設けられている。そのため、下段流水部８２ｂに流れ落ちてきた雨水は、下段樋部９２ｂの両端部間のほぼ真ん中の位置に集まりながら水下側へ流れ落ちる。また、ジョイント樋８の上段樋部９２ａ及び下段樋部９２ｂによって囲まれた空間Ｉは、その空間Ｉ内に架台６の起立部５８に設けられた左右の下段フランジ部６４ｂ，６４ｂを収容できる大きさに形成されている（図１１−１参照）。
【０１１０】
上記構造により、図１０−１及び図１０−２に示すように、架台６にジョイント樋８を装着することができる。具体的には、水上側と水下側の架台６，６を長手方向に連続して接続する際に、両架台６，６の起立部５８のカット部７４にジョイント樋８の長手方向の両端部における突起部７８をそれぞれ挿入するとともに、溝部８０をカット部７４の下端縁にそれぞれ嵌合させる。そして、架台６の上段フランジ部６４ａと下段フランジ部６４ｂの間にジョイント樋８の上段樋部９２ａの上段流水部８２ａを、下段フランジ部６４ｂと底板部５５の間にジョイント樋８の下段樋部９２ｂの下段流水部８２ｂを位置させ、両架台６，６の間にジョイント樋８を架設させた状態で接続する。
【０１１１】
このようにして架台６にジョイント樋８を装着したとき、水上側と水下側の架台６，６の起立部５８の左右に設けられた上段フランジ部６４ａの継ぎ目８４ｃにおいて、両架台６，６の上段フランジ部６４ａの下面８５ａ側からその継ぎ目８４ｃの全体がジョイント樋８の上段樋部９２ａによって覆われた状態となる。また、水上側と水下側の架台６，６の起立部５８の左右に設けられた下段フランジ部６４ｂの継ぎ目８４ｄにおいて、両架台６，６の下段フランジ部６４ｂの下面８５ｂ側からその継ぎ目８４ｄがジョイント樋８の下段樋部９２ｂによって覆われた状態となる。
【０１１２】
尚、本実施例では、二つの下段樋部９２ｂ，９２ｂが下段フランジ部６４ｂの先端部７０ｂから窪み部７２までの継ぎ目８４ｄを覆う状態となっているが、下段フランジ部６４ｂの継ぎ目８４ｄ全体を覆う状態となるように下段樋部９２ｂを大きく形成してもよい。
【０１１３】
上記のように、架台６の起立部５８の最上段のフランジ部である上段フランジ部６４ａが設けられた位置のすぐ下方にカット部７４を形成してそのカット部７４にジョイント樋８を装着することで、水上側と水下側の架台６，６のフレーム支持部５４の起立部５８の隙間に浸入し下方へ流れ落ちる雨水を、ジョイント樋８の上部の突起部７８によって左右に振り分けて上段樋部９２ａの上段流水部８２ａへと導くことができるとともに、上段樋部９２ａの上段流水部８２ａから下段フランジ部６４ｂの下段排水部７１ｂへと流れ落とすことができるため、後述するように、雨水を水上側と水下側の架台６，６の土台部５３の継ぎ目８４ｅの上を通過させることなく一番軒先部２０６側に設置した架台６の下端部から排出させることができる。
【０１１４】
また、本実施例のジョイント樋８は、下段樋部９２ｂが上段樋部９２ａにぶら下がるように固定され、上段フランジ部６４ａの継ぎ目８４ｃを覆う上段樋部９２ａと下段フランジ部６４ｂの継ぎ目８４ｄを覆う下段樋部９２ｂが一体となって形成されているが、上段樋部９２ａと下段樋部９２ｂがそれぞれ独立したジョイント樋８ａとしていてもよい。
【０１１５】
具体的には、図１１−２に示すように、水上側と水下側の架台６ａ，６ａに、その長手方向の両端部において起立部５８の上段フランジ部６４ａが設けられた位置のすぐ下方及び下段フランジ部６４ｂが設けられた位置のすぐ下方にカット部７４が形成された架台６ａを使用する。そして、それらのカット部７４に、ジョイント樋８の上部と同様な構造であって、幅方向の中央に上方へ突出する突起部７８及び下方に開口する溝部８０を有し、その左右に長手方向に雨水を通過させる樋状の流水部８２が設けられた樋部９２を有するジョイント樋８ａの長手方向の両端部における突起部７８をそれぞれ挿入するとともに、溝部８０をカット部７４の下端縁にそれぞれ嵌合させる。
【０１１６】
このようにして、水上側と水下側の架台６ａ，６ａの起立部５８の左右に設けられた上段フランジ部６４ａの継ぎ目８４ｃ及び下段フランジ部６４ｂの継ぎ目８４ｄにおいて、両架台６ａ，６ａの上段フランジ部６４ａの下面８５ａ側及び下段フランジ部６４ｂの下面８５ｂ側からそれらの継ぎ目８４ｃ，８４ｄが上下二つのジョイント樋８ａ，８ａの樋部９２によってそれぞれ覆われた状態としつつ、水上側と水下側の架台６ａ，６ａを接続する構造としてもよい。
【０１１７】
尚、上記他の実施例のように、架台６ａの起立部５８の上下方向にジョイント樋８ａが複数装着されている場合には、最上段のジョイント樋８ａ以外のジョイント樋８ａの代わりに、ジョイント樋８ａと類似する構造であって、幅方向の中央に下方に開口する溝部８０を有し、その左右に流水部８２が設けられた樋部９２を有する構造（ジョイント樋８ａの突起部７８を有しない構造）の部材を装着しても良い（図示せず）。
【０１１８】
また、上記のように水上側と水下側の架台６ａ，６ａの起立部５８の下段フランジ部６４ｂが設けられた位置のすぐ下方にカット部７４を形成してそのカット部７４にジョイント樋８ａを装着する構造とするのではなく、長手方向に雨水を通過させる樋状の流水部８２を有する樋部材９４を水上側と水下側の架台の起立部５８の下段フランジ部６４ｂが設けられた位置のすぐ下方に溶接等により固定し、水上側と水下側の架台の起立部５８の左右に設けられた下段フランジ部６４ｂの継ぎ目８４ｄにおいて、両架台の下段フランジ部６４ｂの下面８５ｂ側からその継ぎ目８４ｄが樋部材９４によって覆われた構造としてもよい（図示せず）。
【０１１９】
一方、上記のように水上側と水下側の架台６，６の起立部５８の上段フランジ部６４ａが設けられた位置のすぐ下方にカット部７４を形成してそのカット部７４に突起部７８を有するジョイント樋８を装着する構造では無く、図１１−３に示すように、水上側と水下側の架台６ｂ，６ｂの起立部５８の左右に設けられた上段フランジ部６４ａ，６４ａの継ぎ目８４ｃ及び下段フランジ部６４ｂの継ぎ目８４ｄにおいて、長手方向に雨水が流れる樋状の流水部８２（上段流水部８２ａ及び下段流水部８２ｂ）が設けられた樋部９２（上段樋部９２ａ及び下段樋部９２ｂ）を上下二段有するとともにそれらの樋部９２，９２が一体に連結された連結樋部材９３によって、水上側と水下側の架台６ｂ，６ｂの上段フランジ部６４ａの下面８５ａ側及び下段フランジ部６４ｂの下面８５ｂ側からそれらの継ぎ目８４ｃ，８４ｄが覆われるようにしてもよい。このとき、水上側と水下側の架台６ｂ，６ｂの起立部５８の上段フランジ部６４ａが設けられた位置と下段フランジ部６４ｂが設けられた位置の間であって上段フランジ部６４ａ設けられた位置のすぐ下方に連結樋部材９３を溶接等により固定する。
【０１２０】
そして、水上側と水下側の架台６ｂ，６ｂに、その長手方向の両端部において、フレーム支持部５４の起立部５８の下段係止用突部６３ｂが設けられた位置と連結樋部材９３が固定された位置との間（図１１−３では下段係止用突部６３ｂが設けられた位置と上段フランジ部６４ａが設けられた位置との間）に、起立部５８を架台６ｂの長手方向に横長略長方形状に切り欠いたカット部７４が形成された架台６ｂを使用する。そして、ジョイント樋８における上方へ略三角形状に突出する突起部７８及び下方に開口する正面視略コの字状の溝部８０の部位のみによって構成された棒状の突起部材９１（図９−２参照）の長手方向の両端部における突起部７８を水上側と水下側の架台６ｂ，６ｂのカット部７４にそれぞれ挿入するとともに、溝部８０をカット部７４の下端縁にそれぞれ嵌合させる構造とする。
【０１２１】
こうすることで、水上側と水下側の架台６ｂ，６ｂのフレーム支持部５４の起立部５８の隙間に浸入し下方へ流れ落ちる雨水を突起部材９１の突起部７８によって左右へ振り分け、上段フランジ部６４ａの上段排水部７１ａへと導くことができる。
【０１２２】
また、上記のように上段流水部８２ａを有する上段樋部９２ａ及び下段流水部８２ｂを有する下段樋部９２ｂが一体に連結された連結樋部材９３を架台６ｂの起立部５８に溶接等により固定する構造では無く、図１１−４に示すように、長手方向に雨水を通過させる樋状の流水部８２を有する樋部材９４を起立部５８の上段フランジ部６４ａが設けられた位置のすぐ下方及び下段フランジ部６４ｂが設けられた位置のすぐ下方にそれぞれ溶接等により固定し、水上側と水下側の架台６ｂ，６ｂの起立部５８の左右に設けられた上段フランジ部６４ａの継ぎ目８４ｃ及び下段フランジ部６４ｂの継ぎ目８４ｄにおいて、両架台６ｂ，６ｂの上段フランジ部６４ａの下面８５ａ側及び下段フランジ部６４ｂの下面８５ｂ側からそれらの継ぎ目８４ｃ，８４ｄが樋部材９４によってそれぞれ覆われるようにしてもよい。
【０１２３】
尚、上記他の実施例の場合であって、架台６ａ（６ｂ）の起立部５８のフランジ部６４（上段フランジ部６４ａ及び下段フランジ部６４ｂ）の排水部７１（上段排水部７１ａ及び下段排水部７１ｂ）に流れ込んだ雨水については、水上側と水下側の架台６ａ，６ａ（６ｂ，６ｂ）のフランジ部６４（上段フランジ部６４ａ及び下段フランジ部６４ｂ）の下面８５（下面８５ａ，８５ｂ）側からその継ぎ目８４（継ぎ目８４ｃ，８４ｄ）を覆うジョイント樋８ａや連結樋部材９３等の働きによって、後述する本実施例の場合と同様に、雨水を水上側と水下側の架台６ａ，６ａ（６ｂ，６ｂ）の土台部５３の継ぎ目８４ｅの上を通過させることなく一番軒先部２０６側に設置した架台６ａ（６ｂ）の下端部から排出させることができる。
【０１２４】
ところで、起立部５８に設けられたフランジ部６４が一段である架台の場合には、図１１−２の他の実施例の場合と同様に、水上側と水下側の架台の長手方向の両端部において起立部５８のフランジ部６４が設けられた位置のすぐ下方にカット部７４が形成された架台を使用し、そのカット部７４にジョイント樋８ａの長手方向の両端部における突起部７８をそれぞれ挿入するとともに、溝部８０をカット部７４の下端縁にそれぞれ嵌合させる。
【０１２５】
このようにして、水上側と水下側の架台の起立部５８の左右に設けられたフランジ部６４の継ぎ目において、両架台のフランジ部６４の下面８５側からその継ぎ目がジョイント樋８ａの樋部９２によって覆われた状態としつつ、水上側と水下側の架台を接続する構造とする（図示せず）。
【０１２６】
また、図１１−４の他の実施例の場合と同様に、水上側と水下側の架台の起立部５８のフランジ部６４が設けられた位置のすぐ下方に、長手方向に雨水を通過させる樋状の流水部８２を有する樋部材９４を溶接等により固定して、水上側と水下側の架台の起立部５８の左右に設けられたフランジ部６４の継ぎ目において、両架台のフランジ部６４の下面８５側からその継ぎ目が樋部材９４によって覆われた構造としてもよい（図示せず）。
【０１２７】
尚、上記他の実施例のフランジ部６４が一段である架台の場合であって、架台の起立部５８のフランジ部６４の排水部７１に流れ込んだ雨水については、水上側と水下側の架台のフランジ部６４の下面８５側からその継ぎ目を覆うジョイント樋８ａや樋部材９４の働きによって、後述するように雨水を水上側と水下側の架台の土台部５３の継ぎ目の上を通過させることなく水下側に設置した架台の下端部から排出させることができる。
【０１２８】
また、上記ジョイント樋８ａ、突起部材９１、連結樋部材９３や樋部材９４等は鋼板またはアルミニウム合金などの金属で形成されているが、プラスチック等の樹脂で形成されていてもよい。
【０１２９】
次に、本発明に係る架台の排水構造１の屋根下地２０２上への設置方法について説明する。屋根２０１には、一面に張られた野地板２０４の上にルーフィング等の防水シート２０５が敷設された屋根下地２０２が形成されており、その上にまず架台６を設置する。この架台６は、図１４に示すように、屋根２０１上で軒棟方向Ｈに設置するとともに、軒先部２０６付近から棟部付近にかけて設置し、底板部５５のネジ孔６０を介してネジ３０により屋根下地２０２上に固定する。
【０１３０】
このとき、軒棟方向Ｈに複数の架台６を接続しながら設置する。本実施例では三本の架台６を長手方向に連続して一直線に並べるとともに、一本の細長い円柱状のピン５７の両端を水上側と水下側の架台６，６のタッピングホール６１，６１にそれぞれ挿入しながら連続的に接続して設置する（図１０−１及び図１０−２参照）。
【０１３１】
また、水上側と水下側の架台６，６を長手方向に連続して接続するときに、上記のように両架台６，６の起立部５８に形成されたカット部７４にジョイント樋８の突起部７８をそれぞれ挿入するとともに溝部８０をカット部７４の下端縁にそれぞれ嵌合させ、両架台６，６の間にジョイント樋８を架設させた状態で接続する。こうして、両架台６，６の継ぎ目８４ごとにジョイント樋８を装着することで、架台の排水構造１を形成する。
【０１３２】
また、架台６は屋根下地２０２上に等間隔かつ平行に複数列設置する。このときの架台６の間隔は、横フレーム部４の長さよりもやや長めとし、屋根２０１上で桁行方向Ｇの幅一杯に設置する。
【０１３３】
そして、架台６にＰＶモジュール体５を設置したときに、横フレーム部４が下方にたわむのを防止するとともにＰＶモジュール体５を固定するための補助桟木２０３を屋根下地２０２上に設置する。具体的には、図１４に示すように、架台６と架台６の間において軒先部２０６付近から棟部付近にかけて補助桟木２０３を架台６と平行に複数列設置し、釘８８等により屋根下地２０２上に固定する。
【０１３４】
次に、軒先部２０６における補助桟木２０３上において、ＰＶモジュール体５上を流れ落ちてきた雨水を軒下へ流れ落とすための軒先部材１０２を設置する位置を決定し、図１３に示すように、係止具１０３を介してネジ１０４ａにより軒先部材１０２を補助桟木２０３に固定する。このとき、架台６と架台６の間に軒先部材１０２を架設するように設置し、ネジ孔を介してネジ１０４ｂにより軒先部材１０２を架台６の上段係止用突部６３ａにも固定する。
【０１３５】
そして、すべての架台６と架台６の間で上記作業を繰り返し行い、図１４に示すように、屋根２０１上で桁行方向Ｇの幅一杯に複数の軒先部材１０２を固定するとともに、一本の細長い円柱状のピン１０６の両端を隣り合う軒先部材１０２のタッピングホール１０８にそれぞれ挿入し、隣り合う軒先部材１０２同士を接続して設置する。
【０１３６】
次に、ＰＶモジュール２を用意し、その四辺に縦フレーム部３及び横フレーム部４を固定する。具体的には、まず縦フレーム部３である左辺フレーム部３ａ及び右辺フレーム部３ｂの支持溝１９、横フレーム部４である上辺フレーム部４ａの支持溝３３、そして下辺フレーム部４ｂの支持溝４２にシリコン等の接着剤２０を流し込む。
【０１３７】
そして、ＰＶモジュール２の左側の短辺の縁部９ａを左辺フレーム部３ａの支持溝１９に、右側の短辺の縁部９ａを右辺フレーム部３ｂの支持溝１９にそれぞれ挿入するとともに、上側の長辺の縁部９ｂを上辺フレーム部４ａの支持溝３３に、下側の長辺の縁部９ｂを下辺フレーム部４ｂの支持溝４２にそれぞれ挿入することでＰＶモジュール２に固定する。
【０１３８】
そして、上記のようにネジ１４により縦フレーム部３と横フレーム部４とを連結することで、図１に示すＰＶモジュール体５を形成する。尚、このＰＶモジュール体５は、設置するＰＶモジュール２の数だけ形成する。
【０１３９】
次に、屋根２０１の左右どちらかの袖部２０９の一番近くに設置された架台６の列とそれと隣り合う架台６の列の上端部において、図１１ー１に示すように、第一段目のＰＶモジュール体５（最も軒先部２０６側に設置されるＰＶモジュール体５）の左辺フレーム部３ａ及び右辺フレーム部３ｂの上段係止部１１ａの底面１６ａを架台６の上段係止用突部６３ａの上面６５ａに、左辺フレーム部３ａ及び右辺フレーム３ｂの下段係止部１１ｂの底面１６ｂを架台６の下段係止用突部６３ｂの上面６５ｂにそれぞれ係止させることにより、第一段目のＰＶモジュール体５を上記隣り合う二つの架台６，６のフレーム支持部５４に支持させる。
【０１４０】
そして、軒先部２０６に向かってＰＶモジュール体５をスライドさせ、最も軒先部２０６側に設置された架台６の下端部付近まで移動させる。そして、第一段目のＰＶモジュール体５の下辺フレーム部４ｂの挿入溝４６にシリコン等の接着材２０を流し込み、図１３に示すように、先に軒先部２０６に設置されている軒先部材１０２の挿入部１０９をその挿入溝４６に挿入して嵌合させる。
【０１４１】
そして、図１２に示すように、上辺フレーム部４ａの平面部２６ａの切欠き部３１の位置においてネジ３０で補助桟木２０３に上辺フレーム部４ａを固定することにより、架台６への第一段目のＰＶモジュール体５の設置が完了する。
【０１４２】
次に、架台６に第二段目のＰＶモジュール体５（軒先部２０６側から数えて二番目に設置されるＰＶモジュール体５）を設置する。具体的には、第一段目のＰＶモジュール体５を設置した隣り合う二つの架台６，６の列の上端部において、上記第一段目のＰＶモジュール体５の場合と同様にして、隣り合う二つの架台６，６のフレーム支持部５４に第二段目のＰＶモジュール体５を支持させるとともに、軒先部２０６に向かってＰＶモジュール体５をスライドさせながら移動させる。
【０１４３】
そして、図１２に示すように、第二段目のＰＶモジュール体５の下辺フレーム部４ｂの挿入溝４６に第一段目のＰＶモジュール体５の上辺フレーム部４ａのリブ３５を挿入して嵌合させるとともに、第一段目のＰＶモジュール体５の上辺フレーム部４ａの段部２６が形成する隙間２８に第二段目のＰＶモジュール体５の下辺フレーム部４ｂの底板部３６を挿入する。このとき、第一段目のＰＶモジュール体５を固定しているネジ３０に第二段目のＰＶモジュール体５の下辺フレーム部４ｂの切欠き部４０を係止させて動かないように固定する。
【０１４４】
そして、第二段目のＰＶモジュール体５の下辺フレーム部４ｂの上方挟持部４５ａの先端部に設けられた傾斜面４８と、第一段目のＰＶモジュール体５の上辺フレーム部４ａのリブ３５の上面３５ｂに設けられた傾斜面３５ｃが当接するまでリブ３５を挿入溝４６に挿入し、第一段目のＰＶモジュール体５と第二段目のＰＶモジュール体５とを連結させる。
【０１４５】
その後、第二段目のＰＶモジュール体５の上辺フレーム部４ａの切欠き部３１の位置においてネジ３０で補助桟木２０３に上辺フレーム部４ａを固定する。最後に、第一段目のＰＶモジュール体５のＰＶモジュール２の裏面２ｂ側に設けられた端子ケーブルと第二段目のＰＶモジュール体５のＰＶモジュール２の裏面２ｂ側に設けられた端子ケーブルを電気的に接続することにより、第二段目のＰＶモジュール体５の設置が完了する。
【０１４６】
尚、第三段目以降のＰＶモジュール体５を設置する場合は、上記の第二段目のＰＶモジュール体５を設置する場合と同様に、架台６にＰＶモジュール体５を設置する作業、ＰＶモジュール体５を補助桟木２０３に固定する作業、ＰＶモジュール２同士を電気的に接続する作業を繰り返し行う。これにより、屋根２０１の軒棟方向ＨにＰＶモジュール２を連続して面一に設置することができる。
【０１４７】
そして、隣り合う二つの架台６，６の間の全てにおいて、上記ＰＶモジュール体５の設置作業を行う。これにより、屋根２０１の桁行方向ＧにもＰＶモジュール２を連続して面一に設置することができ、全体として意匠性の高い見た目が綺麗なＰＶモジュールの設置構造１０１とすることができる。
【０１４８】
次に、屋根２０１の袖部２０９の一番近くに設置された架台６と袖部２０９の間においてケラバ部材２１０等で雨仕舞いを行うとともに、屋根２０１の最も棟部側に設置されたＰＶモジュール体５と喚起棟（図示せず）の間についても雨仕舞いを行い、ＰＶモジュールの設置構造１０１を形成する。こうすることで、雨水がＰＶモジュールの設置構造１０１内へ浸入するのを防止する。
【０１４９】
そして上記架台の排水構造１によれば、ＰＶモジュールの設置構造１０１の内部へ雨水が浸入した場合であっても、その雨水をＰＶモジュールの設置構造１０１の外へ確実に排出することができる。
【０１５０】
具体的には、図１１−１に示すように、架台６にＰＶモジュール体５を設置した際に、当接する左辺フレーム部３ａと右辺フレーム部３ｂの上段係止部１１ａ，１１ａの先端部１５ａ，１５ａの間から雨水が浸入した場合は、架台６の上段係止用突部６３ａの上面６５ａと左辺フレーム部３ａまたは右辺フレーム部３ｂの上段係止部１１ａ，１１ａの底面１６ａとの間に形成された隙間８９に雨水が流れ込む。
【０１５１】
このとき、左右の上段係止用突部６３ａ，６３ａの上面６５ａに設けられた二本の突起部６６，６６が、左辺フレーム部３ａ及び右辺フレーム部３ｂの上段係止部１１ａ，１１ａの底面１６ａと接しているため、毛細管現象を含めたＰＶモジュールの設置構造１０１の内部への雨水の浸入が防止される。そのため、雨水は隙間８９を通って架台６の水下側へ流れ落ちる。
【０１５２】
また、より多くの雨水が隙間８９に流れ込んだ場合には、雨水は架台６の上段係止用突部６３ａの上面６５ａに設けられた突起部６６を乗り越えて、左右の上段係止用突部６３ａ，６３ａの先端部６８ａ，６８ａから左辺フレーム部３ａ及び右辺フレーム部３ｂの下段係止部１１ｂ，１１ｂの上面１７ｂに流れ落ち、更には左辺フレーム部３ａまたは右辺フレーム部３ｂの下段係止部１１ｂ，１１ｂの底面１６ｂと架台６の左右の下段係止用突部６３ｂ，６３ｂの上面６５ｂとの間に形成された隙間９０に流れ込む。
【０１５３】
このとき、左辺フレーム部３ａまたは右辺フレーム部３ｂの下段係止部１１ｂ，１１ｂの底面１６ｂに設けられた二本の突起部１８，１８が架台６の左右の下段係止用突部６３ｂ，６３ｂの上面６５ｂと接しているため、毛細管現象を含めたＰＶモジュールの設置構造１０１の更なる内部への雨水の浸入が防止される。そのため、雨水は左辺フレーム部３ａまたは右辺フレーム部３ｂの下段係止部１１ｂ，１１ｂの上面１７ａ及び隙間９０を通って架台６の水下側へ流れ落ちる。
【０１５４】
また、更に多くの雨水が隙間９０に流れ込んだ場合には、雨水は左辺フレーム部３ａ及び右辺フレーム部３ｂの下段係止部１１ｂ，１１ｂの底面１６ｂに設けられた突起部１８をくぐり抜け、左右の下段係止用突部６３ｂ，６３ｂの先端部６８ｂ，６８ｂから架台６の左右の上段フランジ部６４ａ，６４ａの上段排水部７１ａに流れ落ちる。そして、雨水は架台６の起立部５８から遠ざかりながら上段排水部７１ａ内を水下側へ流れ落ちる。
【０１５５】
尚、横フレーム部４の上辺フレーム４ａと下辺フレーム部４ｂとの隙間（下辺フレーム部４ｂの挿入溝４６）から雨水がＰＶモジュールの設置構造１０１内に浸入した場合は、その雨水は雨樋部２９の内側に流れ落ちる（図１２参照）。そして、その雨水は雨樋部２９の両端から架台６の上段フランジ部６４ａの上段排水部７１ａへと流れ落ちる（図１１−１参照）。
【０１５６】
そして、屋根２０１の一番棟部側に位置する架台６と、その架台６の水下側に位置する架台６（屋根２０１の棟部側から数えて二番目に位置する架台６）の継ぎ目８４には、水上側に位置する架台６において上記の様に隙間８９，９０に流れ込んだ雨水及び上段フランジ部６４ａの上段排水部７１ａに流れ込んだ雨水が流れてくる。
【０１５７】
そして、水上側に位置する架台６の隙間８９を流れてきた雨水は、上段係止用突部６３ａの継ぎ目８４ａを越えてそのまま水下側に位置する架台６の隙間８９へと流れ落ちるか、その継ぎ目８４ａ内に浸入して下方の隙間９０へと流れ落ちるかまたは水上側と水下側の架台６，６の起立部５８の隙間へと流れ込む。
【０１５８】
また、水上側に位置する架台６の隙間９０を流れてきた雨水は、下段係止用突部６３ｂの継ぎ目８４ｂを越えてそのまま水下側に位置する架台６の隙間９０へと流れ落ちるか、その継ぎ目８４ｂ内に浸入して下方の上段フランジ部６４ａの上段排水部７１ａへと流れ落ちるかまたは水上側と水下側の架台６，６の起立部５８の隙間へと流れ込む。
【０１５９】
また、水上側に位置する架台６の上段フランジ部６４ａの上段排水部７１ａを流れてきた雨水は、上段フランジ部６４ａの継ぎ目８４ｃを越えてそのまま水下側に位置する架台６の上段フランジ部６４ａの上段排水部７１ａへと流れ落ちるか、またはその継ぎ目８４ｃに浸入して下方に位置するジョイント樋８の上段樋部９２ａの上段流水部８２ａへと流れ落ちる。尚、ジョイント樋８の上段樋部９２ａの上段流水部８２ａに流れ落ちた雨水は、上段樋部９２ａの長手方向の下端部から水下側に位置する架台６の下段フランジ部６４ｂの下段排水部７１ｂへと流れ落ちる。
【０１６０】
また、上記の様に継ぎ目８４ａ，８４ｂに浸入し、水上側と水下側の架台６，６のフレーム支持部５４の起立部５８の隙間へと流れ込んだ雨水は、起立部５８を伝って下方へと進み、ジョイント樋８の上部の突起部７８上に流れ落ちる（図１０−１及び図１１−１参照）。この突起部７８は上方へ略三角形状に突出しているため、流れ落ちてきた雨水は左右へ振り分けられ、突起部７８の左右に設けられた上段樋部９２ａ，９２ａの上段流水部８２ａ，８２ａに流れ込む。そして、その流れ込んだ雨水は、上段樋部９２ａの長手方向の下端部から水下側に位置する架台６の下段フランジ部６４ｂの下段排水部７１ｂへと流れ落ちる。
【０１６１】
次に、屋根２０１の棟部側から数えて二番目に位置する架台６と、その架台６の水下側に位置する架台６（屋根２０１の一番軒先部２０６側に位置する架台６）の継ぎ目８４には、水上側の架台６において上記のように隙間８９，９０に流れ込んだ雨水、上段フランジ部６４ａの上段排水部７１ａ及び下段フランジ部６４ｂの下段排水部７１ｂに流れ込んだ雨水が流れてくる。
【０１６２】
そして、水上側に位置する架台６の隙間８９，９０を流れてきた雨水及び上段フランジ部６４ａの上段排水部７１ａから流れてきた雨水は、上記と同様に水上側と水下側の架台６，６の継ぎ目８４ａ，８４ｂ，８４ｃを越えてそのまま水下側に位置する架台６へと流れ落ちるか、またはその継ぎ目８４ａ，８４ｂに浸入して起立部５８の隙間を伝って下方へと進むか継ぎ目８４ｃに浸入するかしてジョイント樋８の上段樋部９２ａ，９２ａの上段流水部８２ａ，８２ａに流れ込み、上段樋部９２ａの長手方向の下端部から水下側に位置する架台６の下段フランジ部６４ｂの下段排水部７１ｂへと流れ落ちる。そして、最終的にそれらの雨水は水下側の架台６の下端部から排出される。
【０１６３】
一方、水上側に位置する架台６の下段フランジ部６４ｂの下段排水部７１ｂを流れてきた雨水は、下段フランジ部６４ｂの継ぎ目８４ｄを越えてそのまま水下側に位置する架台６の下段フランジ部６４ｂの下段排水部７１ｂへと流れ落ちるか、またはその継ぎ目８４ｄに浸入して下方に位置するジョイント樋８の左右の下段樋部９２ｂ，９２ｂの下段流水部８２ｂへと流れ落ちる。尚、左右の下段樋部９２ｂの下段流水部８２ｂに流れ落ちた雨水は、下段樋部９２ｂの長手方向の下端部から水下側に位置する架台６の土台部５３の排水部５９へと流れ落ちる。
【０１６４】
そして、水下側に位置する架台６の下段フランジ部６４ｂの下段排水部７１ｂに流れ落ちた雨水、及び左右の下段樋部９２ｂ，９２ｂの下段流水部８２ｂから水下側に位置する架台６の土台部５３の排水部５９へと流れ落ちた雨水は、最終的にはその架台６の下端部から排出される。
【０１６５】
このように、本発明に係る架台の排水構造１によれば、屋根２０１の軒棟方向Ｈの長さが長く屋根２０１上で軒棟方向Ｈに架台６を複数本接続する場合であっても、水上側と水下側の架台６，６の継ぎ目８４において上記の様にジョイント樋８が装着されているため、両架台６，６の土台部５３の継ぎ目８４ｅの上を雨水が通過することがない。従って、両架台６，６の土台部５３の継ぎ目８４ｅから漏水させることなく、ＰＶモジュールの設置構造１０１の内部へ浸入した雨水をＰＶモジュールの設置構造１０１の外へ確実に排出することができる。またそれにより、屋根２０１の雨漏りや野地板２０４の腐食を防止することができるとともに排水性の高いＰＶモジュールの設置構造１０１を提供することができる。
【０１６６】
また、本発明に係る架台の排水構造１によれば、水上側と水下側の架台６，６の土台部５３の継ぎ目８４ｅから漏水することがないため、両架台６，６の土台部５３の継ぎ目８４ｅからの漏水を防止するための作業であるシリコン材を用いて継ぎ目８４ｅの隙間を塞ぎながら水上側と水下側の架台６，６を接続する作業を省略することができる。従って、作業者が屋根２０１上での架台６の設置作業時間を短縮することができるとともに、作業者の安全性を確保することができる。
【０１６７】
一方、屋根２０１上で軒棟方向Ｈに架台を四本接続しながら設置する場合には、例えば起立部５８の下方部であってその上下方向に排水部７１が四段（フランジ部６４が三段）形成されるとともに最上段のフランジ部６４が設けられた位置のすぐ下方にカット部７４が形成された架台を使用し、水上側と水下側の架台の継ぎ目８４において両架台の全て（三段）のフランジ部６４の下面８５を覆うための樋部９２が一体に形成されたジョイント樋、具体的には上記ジョイント樋８の下段樋部９２ｂの下面７９ｂの外側の端部付近からもう一つ下段樋部９２ｂがぶら下がるように固定された構造のジョイント樋、をカット部７４に装着する（図示せず）。こうすることで、水上側と水下側の架台の土台部５３の継ぎ目の上を雨水が通過することがなくなるため、両架台の土台部５３の継ぎ目から漏水させることなく、浸入した雨水を確実にＰＶモジュールの設置構造１０１の外へ排出することができる。
【０１６８】
また、雨水の流れについて具体的に説明すると、屋根２０１の一番棟部側に位置する架台と、その架台の水下側に位置する架台（屋根２０１の棟部側から数えて二番目に位置する架台）の継ぎ目８４に、水上側の架台において一番低い位置を流れる雨水である最上段のフランジ部６４の排水部７１を流れる雨水が流れ込むと、その雨水は最上段のフランジ部６４の継ぎ目を越えてそのまま水下側に位置する架台における最上段のフランジ部６４の排水部７１へと流れ落ちるか、その継ぎ目に浸入して最上段のフランジ部６４のすぐ下方に位置するジョイント樋の樋部９２の流水部８２を通って水下側に位置する架台における上から二段目のフランジ部６４の排水部７１へと流れ落ちる。
【０１６９】
また、屋根２０１の棟部側から数えて二番目に位置する架台と、その架台の水下側に位置する架台（屋根２０１の棟部側から数えて三番目に位置する架台）の継ぎ目８４に、水上側の架台６において一番低い位置を流れる雨水である上から二段目のフランジ部６４の排水部７１を流れる雨水が流れ込むと、その雨水は上から二段目のフランジ部６４の継ぎ目を越えてそのまま水下側に位置する架台における上から二段目のフランジ部６４の排水部７１へと流れ落ちるか、その継ぎ目に浸入して上から二段目のフランジ部６４のすぐ下方に位置するジョイント樋の樋部９２の流水部８２を通って水下側に位置する架台における上から三段目のフランジ部６４の排水部７１へと流れ落ちる。
【０１７０】
また、屋根２０１の棟部側から数えて三番目に位置する架台と、その架台の水下側に位置する架台（屋根２０１の一番軒先部２０６側に位置する架台）の継ぎ目８４に、水上側の架台において一番低い位置を流れる雨水である上から三段目のフランジ部６４の排水部７１を流れる雨水が流れ込むと、その雨水は上から三段目のフランジ部６４の継ぎ目を越えてそのまま水下側に位置する架台における上から三段目のフランジ部６４の排水部７１へと流れ落ちるか、その継ぎ目に浸入して上から三段目のフランジ部６４のすぐ下方に位置するジョイント樋の樋部９２の流水部８２を通って水下側に位置する架台における土台部５３の排水部５９へと流れ落ち、最終的にはその架台の下端部から排出される。
【０１７１】
尚、水上側と水下側の架台の上段係止用突部６３ａの継ぎ目及び下段係止用突部６３ｂの継ぎ目内に浸入し、水上側と水下側の架台のフレーム支持部５４の起立部５８の隙間へと流れ込んだ雨水は、起立部５８において最上段のフランジ部６４が設けられた位置のすぐ下方に形成されたカット部７４に装着されたジョイント樋の突起部７８によって左右へ振り分けられ、突起部７８の左右に設けられた樋部９２の流水部８２を通って上から二段目のフランジ部６４の排水部７１へと流れ落ちる。
【０１７２】
上記構造によれば、屋根２０１上で軒棟方向Ｈに架台を四本接続する場合であっても、水上側と水下側の架台の土台部５３の継ぎ目の上を雨水が通過することがない。
【０１７３】
また、屋根上２０１で軒棟方向Ｈに架台を二本接続しながら設置する場合には、例えば図１１−２の他の実施例の場合と同様に、起立部５８の下方部であってその上下方向に排水部７１が二段（フランジ部６４が一段）形成されるとともにフランジ部６４が設けられた位置のすぐ下方にカット部７４が形成された架台を使用し、そのカット部７４に、水上側と水下側の架台の継ぎ目８４において両架台のフランジ部６４の下面８５を覆うための樋部９２を有するジョイント樋８ａを装着する（図示せず）。こうすることで、水上側と水下側の架台の土台部５３の継ぎ目の上を雨水が通過することがなくなるため、両架台の土台部５３の継ぎ目から漏水させることなく、浸入した雨水を確実にＰＶモジュールの設置構造１０１の外へ排出することができる。
【０１７４】
また、雨水の流れについて具体的に説明すると、屋根２０１の棟部側に位置する架台と、その架台の水下側に位置する架台（屋根２０１の軒先部２０６側に位置する架台）の継ぎ目８４に、水上側の架台において一番低い位置を流れる雨水であるフランジ部６４の排水部７１を流れる雨水が流れ込むと、その雨水はフランジ部６４の継ぎ目を越えてそのまま水下側に位置する架台におけるフランジ部６４の排水部７１へと流れ落ちるか、その継ぎ目に浸入してフランジ部６４の下方に位置するジョイント樋８ａの樋部９２の流水部８２を通って水下側に位置する架台における土台部５３の排水部５９へと流れ落ちる。
【０１７５】
尚、水上側と水下側の架台の上段係止用突部６３ａの継ぎ目及び下段係止用突部６３ｂの継ぎ目内に浸入し、水上側と水下側の架台のフレーム支持部５４の起立部５８の隙間へと流れ込んだ雨水は、起立部５８においてフランジ部６４が設けられた位置のすぐ下方に形成されたカット部７４に装着されたジョイント樋８ａの突起部７８によって左右へ振り分けられ、突起部７８の左右に設けられた樋部９２の流水部８２を通って土台部５３の排水部５９へと流れ落ち、最終的にはその架台の下端部から排出される。
【０１７６】
上記構成によれば、屋根２０１上で軒棟方向Ｈに架台を二本接続する場合であっても、水上側と水下側の架台の土台部５３の継ぎ目の上を雨水が通過することがない。
【０１７７】
また、屋根２０１上で軒棟方向Ｈに架台を連続してＮ本接続しながら設置する場合には、例えば起立部５８の下方部であってその上下方向に排水部７１がＮ段（フランジ部６４がＮ−１段）形成されるとともに最上段のフランジ部６４が設けられた位置のすぐ下方にカット部７４が形成された架台を使用し、水上側と水下側の架台の継ぎ目８４において両架台の全て（Ｎ−１段）のフランジ部６４の下面８５を覆うための複数（Ｎ−１段）の樋部９２が一体に形成されたジョイント樋、具体的には幅方向の中央の上面側には上方へ略三角形状に突出する突起部７８が、下面側には下方に開口する正面視略コの字状の溝部８０が設けられ、ジョイント樋の幅方向であって突起部７８の左右両側にはジョイント樋の長手方向に雨水が流れる樋状の流水部８２が設けられた樋部９２が上下方向にＮ−１段設けられているジョイント樋、をカット部７４に装着する（図示せず）。こうすることで、水上側と水下側の架台の土台部５３の継ぎ目の上を雨水が通過する事がなくなるため、両架台の土台部５３の継ぎ目から漏水させることなく、浸入した雨水を確実にＰＶモジュールの設置構造１０１の外へ排出することができる。
【符号の説明】
【０１７８】
１    架台の排水構造        ６１    タッピングホール
２    ＰＶモジュール        ６３    係止用突部
３    縦フレーム部          ６４    フランジ部
４    横フレーム部          ６６    突起部
５    ＰＶモジュール体      ７１    排水部
６    架台                  ７２    窪み部
８    ジョイント樋          ７３ａ  傾斜面
９    縁部                  ７４    カット部
１０  脚部                  ７８    突起部
１１  係止部                ８０    溝部
１２  支持部                ８２    流水部
１３  ネジ孔                ８４    継ぎ目
１４  ネジ                  ８８    釘
１８  突起部                ９１    突起部材
１９  支持溝                ９２    樋部
２１  膨出部                ９３    連結樋部材
２２  隙間                  １０１  ＰＶモジュールの設置構造
２３  底板部                １０２  軒先部材
２４  起立部                １０３  係止具
２５  タッピングホール      １０５  ネジ孔
２６  段部                  １０６  ピン
２９  雨樋部                １０８  タッピンングホール
３０  ネジ                  １０９  挿入部
３１  切欠き部              ２０１  屋根
３２  支持部                ２０２  屋根下地
３３  支持溝                ２０３  補助桟木
３４  膨出部                ２０４  野地板
３５  リブ                  ２０５  防水シート
３６  底板部                ２０６  軒先部
３８  起立部                ２０９  袖部
３９  タッピングホール      ２１０  ケラバ部材
４０  切欠き部              Ｂ，Ｃ，Ｄ，Ｅ，Ｆ  幅方向
４１  支持部                Ｇ      桁行方向
４２  支持溝                Ｈ      軒棟方向
４３  膨出部                Ｉ      空間
４５  挟持部
４６  挿入溝
４８  傾斜面
５０  雪止め部
５３  土台部
５４  フレーム支持部
５５  底板部
５６  仕切り部
５７  ピン
５８  起立部
５９  排水部
６０  ネジ孔
【要約】
【要  約】
【課  題】薄板状の屋根部材の設置構造内に浸入した雨水をその設置構造の外へ確実に排出することができる架台の排水構造を提供する。
【解決手段】
屋根下地２０２上であって屋根２０１の軒棟方向Ｈに複数の架台６を長手方向に接続しながら設置する。このとき、細長いピン５７の両端を水上側と水下側の架台６，６のタッピングホール６１，６１にそれぞれ挿入しながら接続するとともに、両架台６，６の起立部５８に形成されたカット部７４にジョイント樋８の突起部７８を挿入しつつ溝部８０にカット部７４の下端縁に嵌合させて接続する。このように設置することで、水上側と水下側の架台６，６の上段フランジ部６４ａ及び下段フランジ部６４ｂのそれぞれの下面８５ａ，８５ｂがジョイント樋８の樋部９２ａ，９２ｂによって覆われた状態とする。そして、底板部５５のネジ孔６０を介してネジ３０により屋根下地２０２上に固定する。
【選択図】    図１０−１【図１】
0005948519.tif 000002
【図２】
0005948519.tif 000003
【図３】
0005948519.tif 000004
【図４】
0005948519.tif 000005
【図５】
0005948519.tif 000006
【図６】
0005948519.tif 000007
【図７】
0005948519.tif 000008
【図８】
0005948519.tif 000009
【図９−１】
0005948519.tif 000010
【図９−２】
0005948519.tif 000011
【図１０−１】
0005948519.tif 000012
【図１０−２】
0005948519.tif 000013
【図１１−１】
0005948519.tif 000014
【図１１−２】
0005948519.tif 000015
【図１１−３】
0005948519.tif 000016
【図１１−４】
0005948519.tif 000017
【図１２】
0005948519.tif 000018
【図１３】
0005948519.tif 000019
【図１４】
0005948519.tif 000020